(57)【特許請求の範囲】
【請求項１】
遊技球が流下する遊技領域が前面側に画成された遊技盤と、該遊技盤に設けられ、遊技領域を流下する遊技球が入賞可能に形成された複数の入賞部とを備えた遊技機において、
前記複数の入賞部は、前記遊技盤に開設された装着口を介して該遊技盤の裏側に臨む出口の前後位置が何れも同じになるように設定され、
前記遊技盤の裏側に配設されたベース部材に設けられ、該遊技盤の裏面と前後に間隔をあけて延在し、複数の入賞部のうちの第１の入賞部に入賞した遊技球を流下案内し得る第１の排出部と、
前記ベース部材に設けられ、前記第１の排出部よりも前側に延在し、複数の入賞部のうちの第２の入賞部に入賞した遊技球を流下案内し得る第２の排出部と、
前記ベース部材に配設され、前記第１の排出部の前壁を構成するカバー部材と、
前記ベース部材に配設され、前記第１の排出部での遊技球の流下方向に合わせて配置された球通過検出部を遊技球が通過することで該遊技球を検出する球検出センサと、
前記球検出センサに隣り合わせて前記ベース部材に配設され、検出部が第１状態から第２状態に変化することで不正行為を検出する不正行為検出手段と、
前記カバー部材の前側に配設され、透明な前記遊技盤の裏面と前記第１の排出部との隙間に位置すると共に該遊技盤の裏面に沿って延在して、遊技盤を介して視認可能な装飾部材と、
前記装飾部材と前記カバー部材との間に挟まれて保持され、前側を覆う光を透過可能な該装飾部材に向けて光を照射し得る発光手段とを備え、
前記カバー部材は、
前記不正行為検出手段を被覆する部位と、
前記第１の入賞部の出口と前記第１の排出部との隙間を繋ぐように形成され、該第１の入賞部から該第１の排出部に遊技球を案内する延長通路と、
前記延長通路の外周面から外方へ延出するように形成された延出部とを有し、
前記延出部の前面と前記装飾部材の前面とが前記延長通路の外周を囲むように並んで前記遊技盤の裏面に対向するよう構成された
ことを特徴とする遊技機。
【発明の詳細な説明】
【技術分野】
【０００１】
この発明は、遊技盤に設けた入賞部に入賞した遊技球を、該遊技盤の裏側に配設された球通路を介して排出するよう構成した遊技機に関するものである。
【背景技術】
【０００２】
代表的な遊技機であるパチンコ機は、遊技盤の盤面に画成した遊技領域の略中央位置に枠状に形成された枠状装飾体(所謂センター役物)が配設されており、この枠状装飾体の開口部を介して複数の図柄を変動表示して図柄変動演出を行う液晶式やドラム式等の図柄表示装置を後方から臨ませると共に、該遊技盤における枠状装飾体の下方位置に、パチンコ球(遊技球)の入賞により図柄表示装置での変動を開始させる始動入賞装置や大当り時等に開放する特別入賞装置を配設するよう構成されたものが多数提案されている。このようなパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、前記図柄表示装置で図柄変動に伴うリーチ演出等の各種の遊技演出がなされ、該図柄表示装置に図柄が所定の組み合わせで停止することにより所謂大当りが発生し、遊技盤に設けられた特別入賞装置が開放して多数の賞球を獲得し得るよう構成される。また、前記遊技盤の遊技領域内には、前記枠状装飾体の左右の下方位置に、パチンコ球が入賞可能な複数の普通入賞口が設けられて、該普通入賞口にパチンコ球が入賞することで所定数の賞球が払い出されるよう構成されている(例えば、特許文献１参照)。
【先行技術文献】
【特許文献】
【０００３】
【特許文献１】特開２０１１−３０８６０号公報
【発明の概要】
【発明が解決しようとする課題】
【０００４】
前記遊技領域から入賞口に入賞したパチンコ球は、前記遊技盤の裏側に配設される裏ユニットボックスに、複数の入賞口の夫々に対応して形成された球排出路を介して遊技盤の裏側を通して排出される。特許文献１の裏ユニットボックスには、複数の球排出路が、互いに同じ前後位置に延在するように、左右に並べて形成されているので、遊技盤の裏側に、センサや発光基板などの部材を配設しようとすると、裏ユニットボックス全体を後側にずらす必要がある。このため、裏ユニットボックスの後側の部材配設スペースを圧迫することになってしまう。近年のパチンコ機では、図柄表示装置や可動物など、遊技盤の裏側に配置される部材や装置などが大型化する傾向があり、遊技盤の裏側スペースをより効率的に用いることが求められている。
【０００５】
すなわち本発明は、従来の技術に係る遊技機に内在する前記課題に鑑み、これを好適に解決するべく提案されたものであって、遊技盤の裏側スペースを効率的に用いた遊技機を提供することを目的とする。
【課題を解決するための手段】
【０００６】
前記課題を克服し、所期の目的を達成するため、本願の請求項１に係る発明の遊技機は、
遊技球が流下する遊技領域(20a)が前面側に画成された遊技盤(20)と、該遊技盤(20)に設けられ、遊技領域(20a)を流下する遊技球が入賞可能に形成された複数の入賞部(32,36)とを備えた遊技機において、
前記複数の入賞部(32,36)は、前記遊技盤(20)に開設された装着口(25)を介して該遊技盤(20)の裏側に臨む出口の前後位置が何れも同じになるように設定され、
前記遊技盤(20)の裏側に配設されたベース部材(48)に設けられ、該遊技盤(20)の裏面と前後に間隔をあけて延在し、複数の入賞部(32,36)のうちの第１の入賞部(32)に入賞した遊技球を流下案内し得る第１の排出部(70)と、
前記ベース部材(48)に設けられ、前記第１の排出部(70)よりも前側に延在し、複数の入賞部(32,36)のうちの第２の入賞部(36)に入賞した遊技球を流下案内し得る第２の排出部(100)と、
前記ベース部材(48)に配設され、前記第１の排出部(70)の前壁(75)を構成するカバー部材(50)と、
前記ベース部材(48)に配設され、前記第１の排出部(70)での遊技球の流下方向に合わせて配置された球通過検出部(33a)を遊技球が通過することで該遊技球を検出する球検出センサ(33)と、
前記球検出センサ(33)に隣り合わせて前記ベース部材(48)に配設され、検出部(124)が第１状態から第２状態に変化することで不正行為を検出する不正行為検出手段(122)と、
前記カバー部材(50)の前側に配設され、透明な前記遊技盤(20)の裏面と前記第１の排出部(70)との隙間に位置すると共に該遊技盤(20)の裏面に沿って延在して、遊技盤(20)を介して視認可能な装飾部材(56,57,58)と、
前記装飾部材(56,57,58)と前記カバー部材(50)との間に挟まれて保持され、前側を覆う光を透過可能な該装飾部材(56,57,58)に向けて光を照射し得る発光手段(76)とを備え、
前記カバー部材(50)は、
前記不正行為検出手段(122)を被覆する部位(140)と、
前記第１の入賞部(32)の出口と前記第１の排出部(70)との隙間を繋ぐように形成され、該第１の入賞部(32)から該第１の排出部(70)に遊技球を案内する延長通路(68)と、
前記延長通路(68)の外周面から外方へ延出するように形成された延出部とを有し、
前記延出部の前面と前記装飾部材(56,57,58)の前面とが前記延長通路(68)の外周を囲むように並んで前記遊技盤(20)の裏面に対向するよう構成されたことを要旨とする。
【０００７】
請求項１に係る発明によれば、第１の排出部を遊技盤の裏面と間隔をあけて設けてあるので、第１の排出部と遊技盤の裏面との隙間を、装飾体や発光体やセンサ類などの部材の配設スペースとして用いることができる。また、第２の排出部を、第１の排出部よりも前側に延在するように設けてあるので、第２の排出部の後側を、装飾体や発光体やセンサ類などの部材の配設スペースとして用いることができる。このように、第１の排出部と第２の排出部とを前後にずらして設けることによって、ベース部材の前および後に生じるスペースを部材等の配設スペースとして用いて、遊技盤の裏側スペースを効率的に利用することができる。ここで、第１の排出部は、遊技盤の裏面と間隔をあけるように設けられることで、第１の入賞部の出口との間に隙間が生じてしまうが、該隙間を延長通路で繋いでいるので、第１の入賞部から第１の排出部に遊技球を適切に受け渡すことができる。
また、遊技盤の裏面と第１の排出部との隙間を有効利用して装飾部材を配設することで、透明な遊技盤を介して視認可能な装飾部材により第１の入賞部の周辺を装飾することができる。また、発光手段からの光によって装飾部材が発光されるので、第１の入賞部の周辺を発光演出することができる。そして、発光手段は、装飾部材とカバー部材とに挟まれて保持される構成であるので、発光手段をネジ止めする手間等を省略することができ、発光手段を簡単に取り付けることができる。
【０００８】
本願には、次のような技術的思想が含まれる。
前記カバー部材(50)の前側には、透明な前記遊技盤(20)の裏面と前記第１の排出部(70)との隙間に位置すると共に該遊技盤(20)の裏面に沿って延在して、遊技盤(20)を介して視認可能な装飾部材(57)が配設されたことを要旨とする。
【０００９】
上記構成によれば、遊技盤の裏面と第１の排出部との隙間を有効利用して装飾部材を配設することで、透明な遊技盤を介して視認可能な装飾部材により第１の入賞部の周辺を装飾することができる。
【００１０】
本願には、次のような技術的思想が含まれる。
前記カバー部材(50)の前側には、透明な前記遊技盤(20)の裏面と前記第１の排出部(70)との隙間に位置して、前側に向けて光を照射し得る発光手段(76)が配設されたことを要旨とする。
上記構成によれば、遊技盤の裏面と第１の排出部との隙間を有効利用して発光手段を配設することで、発光手段から前側に照射した光により透明な遊技盤を介して第１の入賞部の周辺を発光させることができる。
【００１２】
本願には、次のような技術的思想が含まれる。
前記ベース部材(48)の後側には、前記第２の排出部(100)の形成部位に対応して、光を透過可能に構成された該形成部位を介して前側へ光を照射し得る照明手段(120)が配設されたことを要旨とする。
上記構成によれば、第２の排出部を第１の排出部より前側に延在形成することによりベース部材の後側に生じるスペースを有効利用して照明手段を配設することで、光を透過可能なベース部材を介して照明手段の光により第２の入賞部の周辺を発光させることができる。
【発明の効果】
【００１３】
本発明に係る遊技機によれば、第１の排出部と第２の排出部とを前後にずらして設けることによって、ベース部材の前および後に生じる遊技盤の裏側スペースを効率的に用いることができる。
【図面の簡単な説明】
【００１４】
【図１】本発明の実施例に係るパチンコ機を示す正面図である。
【図２】実施例のパチンコ機を、中枠に対して前枠を開放した状態で示す概略斜視図であって、前枠の透視保護板や遊技盤における領域区画部の内側に配設される各種遊技部品を省略して示す。
【図３】実施例の遊技盤を示す正面図である。
【図４】図３のＡ−Ａ線断面図である。
【図５】図３のＢ−Ｂ線断面図である。
【図６】図３のＣ−Ｃ線断面図である。
【図７】図３のＤ−Ｄ線断面図である。
【図８】図３のＥ−Ｅ線断面図である。
【図９】図３のＦ−Ｆ線断面図である。
【図１０】実施例の設置部材を、通路ユニットを分離した状態で示す斜視図である。
【図１１】実施例の設置部材を、通路ユニットの始動カバー部材を取り外した状態で示す正面図である。
【図１２】(ａ)は実施例の始動飾り部材を後側から見た斜視図であり、(ｂ)は実施例の始動飾り部材を分解した状態で前側から示す斜視図であり、(ｃ)は実施例の始動飾り部材を分解した状態で後側から示す斜視図である。
【図１３】(ａ)は実施例のサイド飾り部材を分解した状態で前側から示す斜視図であり、(ｂ)は実施例のサイド飾り部材を分解した状態で後側から示す斜視図である。
【図１４】実施例のサイド飾り部材に設けられた普通入賞口を示す説明断面図である。
【図１５】(ａ)は実施例の通路ユニットを示す正面図であり、(ｂ)は実施例の通路ユニットを示す底面図である。
【図１６】実施例の通路ユニットを分解して前側から示す斜視図である。
【図１７】実施例の通路ユニットを分解して後側から示す斜視図である。
【図１８】実施例の通路ベース部材を示す正面図である。
【図１９】実施例の検出センサユニットの回路構成を示すブロック図である。
【発明を実施するための形態】
【００１５】
次に、本発明に係る遊技機につき、好適な実施例を挙げて、添付図面を参照して以下に説明する。なお、実施例では、遊技球としてパチンコ球を用いて遊技を行うパチンコ機Ｐを例に挙げて説明する。また、以下の説明において、「前」、「後」、「左」、「右」とは、図１に示すようにパチンコ機１０を前側(遊技者側)から見た状態で指称する。
【実施例】
【００１６】
(パチンコ機)
図１および図２に示すように、実施例に係るパチンコ機１０は、前後に開口する矩形枠状に形成されて遊技店の図示しない設置枠台に縦置き姿勢で設置される固定枠としての外枠１１の開口前面側に、遊技盤２０を着脱可能に保持する本体枠(本体部材)としての中枠１２がヒンジを介して開閉および着脱可能に組み付けられて、該遊技盤２０の裏側に、各種図柄を変動表示可能な図柄表示装置１７が着脱可能に配設されている。また、前記中枠１２の前面側には、前記遊技盤２０を透視保護するガラス板や透明な合成樹脂材により形成された板状の透視保護部材１３ｂで前後に開口する窓口１３ａを覆うよう構成された装飾枠として前枠(前面部材)１３がヒンジを介して開閉可能に組み付けられている。そして、前枠１３の前面下部位置に、パチンコ球を貯留する上球受け皿１４および下球受け皿１５が上下に離間して設けられており、前枠１３と一体的に上下の球受け皿１４,１５を中枠１２に対して開閉可能に構成されている。なお、図柄表示装置１７としては、各種図柄を表示可能な液晶パネルを収容ケースに収容した液晶表示装置や、ドラム式の図柄表示装置、ドットマトリックス式の図柄表示装置等の各種図柄を停止および変動表示可能な従来公知の各種の図柄表示装置を採用し得る。
【００１７】
図１に示すように、前記パチンコ機１０の前面右下部には、中枠１２に配設された打球発射装置１８を作動させる操作ハンドル１６が設けられている。前記操作ハンドル１６は、左回転方向に付勢された操作レバー１６ａを備えており、該操作レバー１６ａを右回転するよう遊技者が回動操作することで打球発射装置１８(図２参照)が作動されて、前記上球受け皿１４に貯留されたパチンコ球が前記遊技盤２０の遊技領域２０ａに向けて１球ずつ発射されるようになっている。ここで、前記操作レバー１６ａの回動量に応じて前記打球発射装置１８によるパチンコ球の打球力が強弱変化するよう構成されており、遊技者が操作レバー１６ａの回動量を調節することで、前記遊技領域２０ａへのパチンコ球の発射位置(到達位置)を任意に変更し得るようになっている。なお、実施例では前枠１３の前面右下部に操作ハンドル１６を設けてあるが、中枠１２や球受け皿等に操作ハンドル１６を設けることも可能である。また、実施例では、上下の球受け皿を前枠１３に設けるよう構成したが、当該上下の球受け皿の一方または両方を前記中枠１２の前面に対して個別に開閉可能に組み付けるようにしてもよく、また球受け皿を１つだけ備える構成とすることも可能である。
【００１８】
（中枠）
図２に示すように、前記中枠１２は、上縁をなす上フレーム部と、下縁をなして、打球発射装置１８等が設置された下フレーム部と、左側縁をなす左フレーム部と、右側縁をなす右フレーム部とから構成され、全体が外枠１１の開口に整合する矩形枠状に形成される。中枠１２には、遊技盤２０を前側から着脱可能に設置し得る遊技盤保持部１９が設けられ、中枠１２の下枠部前面に、打球発射装置１８が配設されている。そして、中枠１２は、外枠の左上および左下に設けられた上下のヒンジを介して該外枠１１に支持され、中枠１２は外枠１１に対して左側端部を中心として開閉し得るようになっている。なお、中枠１２は、上下左右の各フレーム部が一体成形されたものであってもよい。
【００１９】
（前枠）
図２に示すように、前記前枠１３は、中枠１２の外郭形状に略合致する板状に形成されると共に前後方向に開口する窓口１３ａが開設されている。前枠１３における窓口１３ａの上側に延在する上枠部前側には、前方に膨出して後側に開放する略箱形状に形成された上部装飾体２２が取り付けられている。また、前枠１３における窓口１３ａの左右横側に延在する側枠部前側には、前方に膨出して後側に開放する略箱形状に形成された側部装飾体２３が夫々取り付けられている。前枠１３において、上および左右の枠部には、前方に向けて光を照射し得る前枠発光体が複数実装された前枠発光基板(何れも図示せず)が夫々配設されており、前枠発光体から照射した光によって該枠部の前側を覆う装飾体２２,２３,２３の所定領域を発光させ得る前枠照明装置が構成されている。また、前枠１３の上部角隅部には、左右に離間して２つのスピーカーユニット２４,２４が配設され(図１参照)、これらのスピーカーユニット２４,２４から、遊技に関する効果音などの各種の音が出力される。
【００２０】
(遊技盤)
図３に示すように、前記遊技盤２０は、ベニヤ材や合成樹脂材により形成された略矩形状の板部材の前面(盤面)に、領域区画部２６,２８が配設されており、該領域区画部２６,２８により画成される略円形の遊技領域２０ａに、中枠１２に配設された打球発射装置１８から発射されたパチンコ球が打ち出されるようになっている。なお、実施例の遊技盤２０は、透明なアクリル板で構成された所謂透明盤である。ここで、実施例の領域区画部は、左方へ凹む(右方に凸になる)略円弧状に形成されて遊技領域２０ａの左側部を画成する内外の案内レール２６と、右方へ凹む(左方に凸になる)略円弧状に形成されて遊技領域２０ａの右側部を画成する盤面飾り部材２８とで構成されている。また、遊技盤２０には、前後に貫通する装着口２５(図４〜図９参照)が適宜位置に開設されており、各装着口２５に対して遊技盤設置部品が前側から取り付けられると共に、遊技領域２０ａの最下部位置には、該遊技領域２０ａに打ち出されたパチンコ球を排出するアウト口２１が開設されている。実施例の遊技盤２０には、遊技領域２０ａの略中央で開口する装着口２５に、前後に開口する表示開口部(開口部)３０ａが形成されたセンター役とも称される枠状装飾体３０が取り付けられ、該枠状装飾体３０の表示開口部２４ａを介して図柄表示装置１７の表示面が遊技盤２０の前面側に臨むよう構成されている。枠状装飾体３０は、遊技盤２０の盤面より前側に突出する庇状に形成されており、遊技領域２０ａに打ち出されたパチンコ球を該枠状装飾体３０の右側または左側に流下するように案内し得るようになっている。なお、遊技盤２０には、遊技領域２０ａ内に多数の遊技釘が設けられると共に、枠状装飾体３０の左側方に、遊技領域２０ａを流下するパチンコ球の接触に伴って回転する所謂「風車」とも称される回転案内部材が回転自在に支持されており、遊技領域２０ａを流下するパチンコ球が遊技釘や回転案内部材に接触することで、流下方向が不規則に変化するよう構成されている。
【００２１】
図３に示すように、前記遊技盤２０には、前記遊技盤設置部品として、パチンコ球が入賞可能な各種の入球部(始動入賞部３２、特別入賞部３４、普通入賞部３６、ゲート部３８等)や、装飾部品等の各種の遊技盤設置部品が設けられており、遊技領域２０ａに打ち出されたパチンコ球が入賞部に入賞することで、遊技者に有利な大当り遊技等の特別遊技状態を生起させるか否かの当り判定や、所定数の賞球の払い出し等が行われることで、所期の遊技が行われるようになっている。具体的に、パチンコ球の入球(入賞)を契機として当り判定が行われる始動入賞部３２や、特別遊技状態の発生に伴ってパチンコ球が入球(入賞)可能となる特別入賞部３４や、始動入賞部として入賞口を開閉可能な可変始動入賞部を備える場合に、パチンコ球の入球を契機として入賞口を開放するか否かの開放判定が行われるゲート部３８が遊技盤２０に配設されている。また、遊技盤２０の裏側には、可動演出装置４２や発光演出装置等の各種の演出手段が配設された設置部材４０(図１０参照)が備えられており、前記図柄表示装置１７の表示に合わせて演出手段が作動されるよう構成してある。
【００２２】
図３に示すように、前記遊技盤２０には、前記枠状装飾体３０の下方位置に、常に上方に開口する始動入賞口３２ａを有する始動入賞部３２が配設されると共に、該始動入賞部３２の右側方および右側上方位置に、特別入賞口３４ａを有する特別入賞部３４,３４が取り付けられている。なお、遊技盤２０には、始動入賞口を有する可変始動入賞部としての別の始動入賞部(図示せず)が設けられている。実施例の遊技盤２０の遊技領域２０ａは、打ち出されたパチンコ球を枠状装飾体３０の左側部を流下させる第１球流下経路と、打ち出されたパチンコ球を枠状装飾体３０の右側部を流下させる第２球流下経路とが区分して設けられている。実施例の遊技盤２０では、第１球流下経路で流下案内されて到来するパチンコ球が入賞し易い位置に、始動入賞部３２が配設されると共に、第２球流下経路で流下案内されて到来するパチンコ球が入賞し易い位置に、特別入賞部３４が配設されている。また、遊技盤２０における特別入賞部３４の上方位置には、遊技領域２０ａ(第２球流下経路)を流下するパチンコ球が通過可能なゲート部３８が配設されている。
【００２３】
(始動入賞部)
前記始動入賞部３２は、遊技領域２０ａに始動入賞口３２ａが常に上方に開口するよう設けられており、遊技盤２０の遊技領域２０ａを流下するパチンコ球が入賞可能な常時開放型の入賞装置とされている。また、始動入賞部３２は、始動入賞口３２ａに入賞したパチンコ球を検出する始動入賞球検出センサ３３を備えており、パチンコ機１０の裏側に配設された図示しない制御装置に配線接続されている。制御装置に対して始動入賞球検出センサ３３からパチンコ球を検出した検出信号が入力されるのに伴い、該制御装置が所定数(例えば３個)の賞球を払い出させるよう図示しない球払出装置を制御するよう設定されている。また、始動入賞球検出センサ３３から制御装置への入賞検出信号の入力に伴って、各種入賞情報(特図当り判定用乱数等の各種乱数情報)を制御装置が取得し、この取得した入賞情報に基づいて特図当り抽選(大当り判定や小当り判定)を実行するようになっている。そして、この特図当り抽選の結果に基づいて図柄表示装置１７おいて図柄変動演出が実行されるようになっている。そして、当り判定の判定結果が肯定(大当りや小当り)であった場合に、図柄表示装置１７に所定の当り表示が確定停止表示されて、遊技者に有利な当り遊技(大当り遊技や小当り遊技)が付与されるよう構成されている。
【００２４】
(特別入賞部)
前記特別入賞部３４は、遊技領域２０ａに開口する特別入賞口３４ａを開閉自在に閉成する開閉部材３４ｂを備えており、駆動手段としてのソレノイドの駆動に伴って開閉部材３４ｂが作動することで特別入賞口３４ａが開閉するよう構成されている。また、特別入賞部３４は、特別入賞口３４ａに入賞したパチンコ球を検出する特別入賞球検出センサ３５(図４参照)を備えており，該特別入賞球検出センサ３５から制御装置への入賞検出信号の入力に伴って所定数の賞球が払い出されるようになっている。
【００２５】
(普通入賞部)
前記普通入賞部３６は、遊技領域２０ａに普通入賞口３６ａ,３６ｂ,３６ｃが常に上方に開口するよう設けられており、遊技盤２０の遊技領域２０ａを流下するパチンコ球が入賞可能な常時開放型の入賞装置とされている。また、普通入賞部３６は、普通入賞口３６ａ,３６ｂ,３６ｃに入賞したパチンコ球を検出する普通入賞球検出センサ３７を備えており、パチンコ機１０の裏側に配設された図示しない制御装置に配線接続されている。制御装置に対して普通入賞球検出センサ３７からパチンコ球を検出した検出信号が入力されるのに伴い、該制御装置が所定数の賞球を払い出させるよう図示しない球払出装置を制御するよう設定されている。
【００２６】
(設置部材)
図１０に示すように、前記設置部材４０は、前記遊技盤２０の外郭形状より僅かに小さい形状に形成された略矩形状の背面板４４と、該背面板４４の外周縁部から前方に突出する画壁部４５とから前方に開口した箱状に形成されて、該画壁部４５の開口前端部を遊技盤２０の裏面に当接させた状態で、当該遊技盤２０と設置部材４０とがネジ止め固定される。そして、設置部材４０において遊技盤２０との間に画成される空間に、動作により演出を行う可動演出装置４２や発光演出装置等が設置されて、設置部材４０を基材とする１つのユニットとして扱い得るようになっている。設置部材４０の背面板４４には、前記枠状装飾体３０の表示開口部３０ａと前後に整列する位置に、略矩形状の設置部材開口部４４ａが前後に開口するよう開設される。そして、背面板４４の裏面に配設した前記図柄表示装置１７の表示部が、設置部材開口部４４ａおよび表示開口部３０ａを介して遊技盤２０の前側に臨むようになっている。また、設置部材４０の左下側には、背面板４４の前側に離間して、前記始動入賞部３２および普通入賞部３６の球通路６０,９０の一部が設けられた通路ユニット４６が配設されている。
【００２７】
(通路ユニット)
図１０,図１１,図１５〜図１７に示すように、前記通路ユニット４６は、設置部材４０に取り付けられる通路ベース部材４８と、この通路ベース部材４８の前側に取り付けられる始動カバー部材(カバー部材)５０および普通カバー部材５２(カバー部材)とを備えている。通路ユニット４６には、通路ベース部材４８と始動カバー部材５０との間に、始動入賞部３２の始動球通路６０の一部が形成されると共に、通路ベース部材４８と普通カバー部材５２との間に、普通入賞部３６の普通球通路９０の一部が形成されている。通路ユニット４６には、通路ベース部材４８の左側上部に設けられた左装飾設置部４９ａの前側に、基板５４ａおよびこの基板５４ａの前面に実装された複数の発光体５４ｂからなる装飾発光手段５４(図１６参照)が配設されると共に、この装飾発光手段５４の前側を覆って左装飾部材５５が配設されている。左装飾設置部４９ａは、通路ベース部材４８における普通入賞部３６の球通路構成部分より上側に設けられている。左装飾部材５５は、普通入賞部３６の普通入賞口３６ａが設けられるサイド飾り部材９２の上側に配置され、透明な遊技盤２０を介して視認可能な左装飾部材５５が装飾発光手段５４から照射された光によって発光されるようになっている。また、通路ユニット４６には、通路ベース部材４８の左右方向中間部右寄りに設けられた中装飾設置部４９ｂの前側に、中装飾部材５６が配設されている。中装飾設置部４９ｂは、通路ベース部材４８における普通入賞部３６の球通路構成部分と始動入賞部３２の球通路構成部分の間に設けられている。中装飾部材５６は、始動入賞部３２の始動入賞口３２ａが設けられる始動飾り部材６２と、この始動飾り部材６２の左側に配設される前記サイド飾り部材９２との間に配置され、透明な遊技盤２０を介して視認可能になっている。更に、通路ユニット４６には、通路ベース部材４８の右側部に設けられた始動入賞部３２の球通路構成部分の前側を覆う始動カバー部材５０の前側に、始動装飾部材(装飾部材)５７および該始動装飾部材５７の右側に位置して右装飾部材５８が配設されている。始動装飾部材５７は、前記始動飾り部材６２の下側に配置されると共に、右装飾部材５７が始動飾り部材６２の右側に配置され、透明な遊技盤２０を介して始動装飾部材５７および右装飾部材５８が視認可能になっている。これらの装飾部材５５,５６,５７,５８は、何れも光を透過可能で、かつ透過する光を拡散し得るように構成されている。
【００２８】
(通路ベース部材)
図１０に示すように、前記通路ベース部材４８は、設置部材４０に配設されている。設置部材４０の下縁部および左側縁部下側には、通路ベース部材４８を取り付け支持する通路ベース設置部４５ａが複数箇所設けられており、複数の通路ベース設置部４５ａにネジ止め固定することで、通路ベース部材４８が設置部材４０の下部において中央部から左側にかけて延在するように配設される。ここで、通路ベース部材４８は、設置部材４０の前方開口側に配置されて、該設置部材４０の背面板４４との間に、可動演出装置４２を収容可能なスペースをあけるようになっている。通路ベース部材４８は、左右方向に長手が延在する板状体の周縁に前方に突出する周壁を有する略トレイ形状に基本的に形成されており、始動入賞部３２の始動排出部７０を画成する球通路構成部分だけでなく、普通入賞部３２の普通排出部１００を画成する球通路構成部分や、装飾発光手段５４、左装飾部材５５、中装飾部材５６、不正検出装置１２２および磁気センサ５９などを設置する部分としても用いられている。通路ベース部材４８は、全体として光を透過可能に構成されて、実施例では有色透明になっている。
【００２９】
(始動カバー部材および普通カバー部材)
図１６および図１７に示すように、前記始動カバー部材５０は、通路ベース部材４８の右側部前側に配設され、通路ベース部材４８との間に始動入賞部３２の始動排出部７０を画成すると共に、始動入賞部３２の第３始動通路部６８が設けられている。始動カバー部材５０は、全体として光を透過可能に構成されて、実施例では無色透明になっている。前記普通カバー部材５２は、通路ベース部材４８の中央部前側に配設され、通路ベース部材４８との間に普通入賞部３６の普通排出部１００および共通排出部１０１を画成すると共に、通路ベース部材４８との間に第３普通通路部９８を画成するよう構成されている。普通カバー部材５２は、全体として光を透過可能に構成されて、実施例では無色透明になっている。
【００３０】
(始動入賞部の詳細について)
図４および図５に示すように、前記始動入賞部(第１の入賞部,入賞部)３２は、遊技領域２０ａに開口する始動入賞口３２ａと、該始動入賞口３２ａから入賞したパチンコ球を遊技盤２０の表側から裏側に案内して該裏側で流下排出する始動球通路(第１の球通路,球通路)６０と、該始動球通路６０を通るパチンコ球を検出する始動入賞球検出センサ(球検出センサ)３３とを備えている。始動入賞部３２では、遊技盤２０に取り付けられる始動飾り部材６２に始動入賞口３２ａが設けられると共に、該始動飾り部材６２と、遊技盤２０の裏側に配設される通路ベース部材(ベース部材)４８および該通路ベース部材４８の前側に配設される始動カバー部材(カバー部材)５０の間とに亘って、前記始動球通路６０が形成されている。実施例の始動球通路６０は、始動飾り部材６２に設けられた第１始動通路部(第１通路部)６４と、始動飾り部材６２に設けられ、該第１始動通路部６４におけるパチンコ球の案内下流側に接続される第２始動通路部(第２通路部)６６と、前記通路ユニット４６に設けられ、該第２始動通路部６６におけるパチンコ球の案内下流側に接続される第３始動通路部(第３通路部)６８と、前記通路ユニット４６に設けられ、該第３始動通路部６８におけるパチンコ球の案内下流側に接続され、パチンコ球を遊技盤２０の裏側において流下案内する始動排出部(排出部)７０とによって構成されている(図５参照)。
【００３１】
(始動飾り部材)
図１２に示すように、前記始動飾り部材６２は、該始動飾り部材６２が装着される略円形の装着口２５の周りに、遊技盤２０の盤面に沿うように延在し、盤面に当接させてネジ止め固定される始動取付板部６２ａと、この始動取付板部６２ａの前方に突出する樋状に形成された前記第１始動通路部６４と、始動取付板部６２ａの後方に突出する樋状に形成された前記第２始動通路部６６とを備えている。始動飾り部材６２は、始動取付板部６２ａが左右の側部から外方に延出するように形成されており、上側および下側に始動取付部６２ａが設けられずに遊技盤２０の盤面が露出している。また、実施例の始動飾り部材６２は、表面全体がメッキ処理されて、光を反射し得るようになっている。
【００３２】
(第１始動通路部)
図４,図５および図１２に示すように、前記第１始動通路部６４は、遊技盤２０の盤面から１個のパチンコ球が通過可能な間隔をあけて配置される始動装飾板部６２ｂによって前記始動飾り部材６２の前面を構成し、上方に開口する樋状部分の左右の壁部の上端と始動装飾板部６２ｂの上端とによって始動入賞口３２ａを画成している。なお、始動入賞口３２ａは、パチンコ球の１個ずつの通過を許容し得る開口寸法で形成されている。また、第１始動通路部６４は、樋状部分が後方に開口しており、始動入賞口３２ａから受け入れたパチンコ球を後方へ向けて案内するように構成されている。第１始動通路部６４は、樋状部分の左右の壁部で規定される通路幅が、パチンコ球の１個ずつの通過を許容する寸法に設定されている。すなわち、第１始動通路部６４は、始動入賞口３２ａから１個ずつ受け入れたパチンコ球を、１個ずつ並べて後方(遊技盤２０の裏側)に案内し得るようになっている。ここで、第１始動通路部６４は、始動取付板部６２ａと別体に形成されて(図１２(ｂ)および(ｃ)参照)、その樋状部分の後端面を、始動取付板部６２ａに上方が開放した略Ｕ字状に前後に貫通形成された通口(第２始動通路部６６の前方開口)を囲うように該始動取付板部６２ａに当接させて、該始動取付板部６２ａに取り付けられている。このように、第１始動通路部６４は、始動入賞部３２において遊技盤２０の前側に配置される部分を主に構成している。
【００３３】
(第２始動通路部)
図４,図５および図１２に示すように、前記第２始動通路部６６は、始動取付板部６２ａの前側に取り付けられる第１始動通路部６４の樋状部分の後側に連なるように、該始動取付板部６２ａと一体的に形成されている。第２始動通路部６６は、始動取付板部６２ａに開設された前記通口を囲うと共に後方へ延出する樋状部分からなり、第１始動通路部６４から受け入れたパチンコ球を、該第１始動通路部６４によるパチンコ球の案内方向と同じとなる後方へ案内するように構成されている。すなわち、第１始動通路部６４と第２始動通路部６６とは、樋状部分で構成される球案内経路が前後方向に一直線に並んでいる(図４参照)。第２始動通路部６６は、上方に開放した樋状部分の左右の壁部で規定される通路幅が、パチンコ球の１個ずつの通過を許容する寸法に設定されている。すなわち、第２始動通路部６６は、第１始動通路部６４から１個ずつ流入するパチンコ球を、１個ずつ並べて後方(遊技盤２０の裏側)に案内し得るようになっている。第２始動通路部６６は、遊技盤２０の盤面に当接する始動取付板部６２ａから後方へ突出して装着口２５に挿入されて、該装着口２５内に配設されている。ここで、第２始動通路部６６において後方に開口する樋状部分の後端が、始動入賞部３２における遊技盤２０に開設された装着口２５を介して該遊技盤２０の裏側に臨む出口となり、実施例では、この出口の前後位置が遊技盤２０の裏面に揃っている。このように、第２始動通路部６６は、始動入賞部３２において遊技盤２０の厚み部分に配置される部分を主に構成している。なお、第２始動通路部６６は、樋状部分の左右の壁部上端が、第１始動通路部６４の壁部上端よりも低く設定されている(図１２(ａ)参照)。
【００３４】
(第３始動通路部)
図５,図１６および図１７に示すように、前記第３始動通路部６８は、始動カバー部材５０の上部に設けられて、前後に貫通する筒状部分によって構成されている。第３始動通路部６８は、第２始動通路部６６の後端を筒状部分の前方開口で囲うように、該第２始動通路部６６の後側に連ねて配設されている。また、第３始動通路部６８は、第２始動通路部６６から受け入れたパチンコ球を、該第２始動通路部６６によるパチンコ球の案内方向と同じとなる後方へ案内するように構成されている。すなわち、第１始動通路部６４、第２始動通路部６６から第３始動通路部６８にかけては、球案内経路が前後方向に一直線に並んでいる(図４参照)。第３始動通路部６８は、筒状部分で規定される通路幅が、パチンコ球の１個ずつの通過を許容する寸法に設定され、第２始動通路部６６から１個ずつ流入するパチンコ球を、１個ずつ並べて後方に案内し得るようになっている。
【００３５】
(始動排出部)
図５,図１６および図１７に示すように、前記始動排出部７０は、前記通路ベース部材４８の上縁に延在する始動上壁(通路壁,壁部)７２と、通路ベース部材の右側部に設けられ、左右に対向する一対の始動縦壁(通路壁,壁部)７３,７３と、通路ベース部材４８における始動上壁７２および左右の始動縦壁７３,７３によって囲われる始動後壁(通路壁,壁部)７４と、該始動上壁７２および左右の始動縦壁７３,７３の開放端側を覆うように配設される前記始動カバー部材５０とによって画成されている。すなわち、始動カバー部材５０は、始動排出部７０を構成する始動前壁７５を有し、この始動前壁７５の上部に連ねて前記第３始動通路部６８が一体的に形成されている。始動排出部７０は、上部が第３始動通路部６８における筒状部分の後方開口に整合して、該上部が該第３始動通路部６８の後側に連なると共に、第３始動通路部６８の後側から遊技盤２０の裏面に沿って下方へ延在している。ここで、左右の始動縦壁７３,７３が上下方向に直線的に延在すると共に(図１８参照)、前後の始動前壁７５および始動後壁７４が上下方向に直線的に延在しており(図５参照)、始動排出部７０は、遊技盤２０の裏面と平行な鉛直ラインでパチンコ球の流下させるように経路が形成されている。このように、始動球通路６０は、第１始動通路部６４、第２始動通路部６６および第３始動通路部６８によって前から後に向けてパチンコ球を案内し、始動排出部７０で向きを変えて下方へ案内して、始動排出部７０の下端から排出するようになっている。始動排出部７０は、左右の始動縦壁７３,７３で規定される左右の通路幅および前後の始動前壁７５および始動後壁７４で規定される前後の通路幅が、パチンコ球の１個ずつの通過を許容する寸法に設定され、第３始動通路部６８から１個ずつ流入するパチンコ球を、１個ずつ並べて下方に案内し得るようになっている。
【００３６】
(遊技盤と始動排出部と第３始動通路部との関係)
図４および図５に示すように、前記始動入賞部３２は、該始動入賞部３２における遊技盤２０の裏側に臨む出口を構成する第２始動通路部６６の後端が該遊技盤２０の裏面に揃う前後位置に設定されているのに対して、始動排出部７０が遊技盤２０の裏面から後方へ離間した位置に設けられている。すなわち、遊技盤２０に配設される始動飾り部材６２で形成される始動球通路６０の前側部分の出口(第２始動通路部６６の後端)と、設置部材４０に配設される通路ベース部材４８およびこの通路ベース部材４８に取り付けられる始動カバー部材５０で形成される始動球通路６０の後側部分の入口(始動排出部７０の上部前面)との間に隙間があいている。そこで、始動入賞部３２は、始動カバー部材５０に、始動排出部７０の前面をなす該始動カバー部材５０の始動前壁７５よりも前方に向けて突出する筒状部分(突出部分)を設け、この筒状部分からなる第３始動通路部６８によって、第２始動通路部６６の後端と始動排出部７０の上部前面との間を繋げている。すなわち、第３始動通路部６８は、始動飾り部材６２に形成される始動球通路６０における前側部分の出口と、通路ベース部材４８および始動カバー部材５０とで形成される始動球通路６０における後側部分の入口とを間の隙間を繋いで、第２始動通路部６６から始動排出部７０にパチンコ球を案内する延長通路として機能している。このように、始動入賞部３２は、始動排出部７０を遊技盤２０の裏面から離間させて、始動排出部７０の前側に、始動発光手段(発光手段)７６および前記始動装飾部材(装飾部材)５７を配設し得る隙間を設けている。
【００３７】
(始動入賞球検出センサ)
前記始動入賞球検出センサ３３は、前記通路ベース部材４８に設けられた始動センサ設置部７８に配設され、始動センサ設置部７８の前側を覆う前記始動カバー部材５０の始動前壁７５によって保持されている(図５参照)。始動入賞球検出センサ３３は、略矩形箱状のセンサ本体の厚み方向に貫通形成されて、パチンコ球が通過可能な球通過口(球通過検出部)３３ａを有する誘導式近接スイッチであり、球通過口３３ａを通過するパチンコ球を非接触で検出するよう構成される。始動入賞部３２は、始動球通路６０の始動排出部７０に案内されて上から下に流下するパチンコ球を始動入賞球検出センサ３３で検出するように構成されている。始動センサ設置部７８は、始動排出部７０において第３始動通路部６８に繋がる上部よりも下側に設けられ、左側の始動縦壁７３の上下方向中間部に開設された切り欠き部分を上下に挟む横壁と、右側の始動縦壁７３と、この右側の始動縦壁７３と該切り欠き部を左右に挟んで対向する縦壁とによって、前側に開放するように形成されている。また、左右の始動縦壁７３,７３には、前記切り欠き部分の上下の開口縁に対応して始動排出部７０の内側に向けて延出する突片が設けられている(図１８参照)。始動入賞球検出センサ３３は、始動センサ設置部７８に収容すると、該始動センサ設置部７８を構成する壁および突片によって上下左右の移動が規制された状態で保持され、その長手辺を左右に沿わせると共に短手辺を前後に沿わせて、厚み方向を上下に沿わせた姿勢で始動排出部７０に球通過口３３ａを整合させた状態で位置決めされる(図１１参照)。そして、始動センサ設置部７８に収容された始動入賞球検出センサ３３は、始動排出部７０の前面をなす始動カバー部材５０の始動前壁７５およびこの始動前壁７５の左側縁中間から左方に延びる延出部分によって前側が覆われ、前側の移動が規制されて、始動後壁７４と始動カバー部材５０との間で前後に位置決めされる(図５参照)。なお、始動入賞球検出センサ３３は、始動カバー部材５０を通路ベース部材４８から取り外すことで、簡単に着脱することができる。
【００３８】
(始動案内凸条)
図４および図５に示すように、前記始動入賞部３２は、第１始動通路部６４の底部から突出して設けられ、該第１始動通路部６４によるパチンコ球の案内方向に延在する第１始動案内凸条(第１案内凸条)８０と、第２始動通路部６６の底部から突出すると共に第１始動案内凸条８０に連ねて設けられ、該第２始動通路部６６によるパチンコ球の案内方向に延在する第２始動案内凸条(第２案内凸条)８１と、第３始動通路部６８の底部を画成する始動カバー部材５０の端縁から突出すると共に第２始動案内凸条８１に連ねて設けられ、該第３始動通路部６８によるパチンコ球の案内方向に延在する第３始動案内凸条(第３案内凸条)８２とを備えている。第１始動案内凸条８０は、始動装飾板部６２ｂの内側に連ねて第１始動通路部６４に前後に延在するように形成され、該第１始動通路部６４における左右の壁間の略中央部に位置して１条設けられている(図１２(ｃ)参照)。第１始動案内凸条８０は、その上端面の左右幅が、該第１始動案内凸条８０と第１始動通路部６４の左右壁との離間寸法よりも小さくなるように設定され、前後方向に亘って同じ幅で形成されている。第２始動案内凸条８１は、第１始動案内凸条８０の後端に連ねて第２始動通路部６６に前後に延在するように形成され、該第２始動通路部６６における左右の壁間の略中央部に位置して１条設けられている(図１２(ｃ)参照)。第２始動案内凸条８１は、その上端面の左右幅が、該第２始動案内凸条８１と第２始動通路部６６の左右壁との離間寸法よりも小さくなるように設定され、前後方向に亘って同じ幅で形成されている。ここで、第２始動案内凸条８１の上端面の左右幅は、第１始動案内凸条８０の上端面と同じに設定されている。第３始動案内凸条８２は、第２始動案内凸条８１の後端に連ねて第３始動通路部６８に前後に延在するように形成され、該第３始動通路部６８における左右の壁間の略中央部に位置して１条設けられている(図１７参照)。 第３始動案内凸条８２は、その上端面の左右幅が、該第３始動案内凸条８２と第３始動通路部６８の左右壁との離間寸法よりも小さくなるように設定され、前後方向に亘って同じ幅で形成されている。ここで、第３始動案内凸条８１の上端面の左右幅は、第２始動案内凸条８１の上端面よりも僅かに小さく設定されている。このように、第１始動案内凸条８０、第２始動案内凸条８１および第３始動案内凸条８２は、第１始動通路部６４、第２始動通路部６６および第３始動通路部６８によって形成されるパチンコ球の案内経路に合わせて前後方向に直線的に並んでいる。
【００３９】
(始動案内凸条の上端面)
図５に示すように、前記第１始動案内凸条８０、前記第２始動案内凸条８１および前記第３始動案内凸条８２は、始動入賞口３２ａ側から始動排出部７０側(前から後)に向かうにつれて、パチンコ球が当接する上端面が下がるように形成されている。第１始動案内凸条８０の上端面は、始動装飾板部６２ｂの内面に連なる前縁から後方に向かうにつれて略円弧状に下方傾斜するように形成され、前縁が始動入賞口３２ａ近傍まで立ち上がると共に、後縁が第１始動通路部６４の後端と前後位置が揃うように構成されている。第２始動案内凸条８１の上端面は、パチンコ球の案内上流側に隣り合う第１始動案内凸条８０の上端面よりも上下位置が低くなるように設定されている。第２始動案内凸条８１の上端面は、第２始動通路部６６の前端に前後位置を揃えた前縁から後方に向かうにつれて下方傾斜するように形成されて、後縁が第２始動通路部６６の後端と前後位置が揃うように構成されている。第３始動案内凸条８２の上端面は、第３始動通路部６８の前端に前後位置を揃えた前縁から後方に向かうにつれて下方傾斜するように形成されて、後縁が第３始動通路部６８の後端と前後位置が揃うように構成されている。第３始動案内凸条８２の上端面は、パチンコ球の案内上流側に隣り合う第２始動案内凸条８１の上端面よりも上下位置が低くなるように設定されている。実施例では、第１始動案内凸条８０、第２始動案内凸条８１および第３始動案内凸条８２が、始動入賞口３２ａ側から始動排出部７０側(前から後)に向かうにつれて、始動通路部６４,６６,６８の底部からの該始動案内凸条８０,８１,８２の突出寸法が次第に小さくなるように設定されて、パチンコ球が当接する上端面が前から後に向かうにつれて下方傾斜するように形成されている。
【００４０】
(始動案内凸条の上端面の段差)
図５に示すように、前記第２始動案内凸条８１は、その上端面の前縁が、第１始動案内凸条８０における上端面の後縁よりも下方に位置するように形成されて、第２始動案内凸条８１の上端面が第１始動案内凸条８０の上端面より下がる段差状になるよう構成されている。第３始動案内凸条８２は、その上端面の前縁が、第２始動案内凸条８１における上端面の後縁よりも下方に位置するように形成されて、第３始動案内凸条８２の上端面が第２始動案内凸条８１の上端面より下がる段差状になるよう構成されている。すなわち、第２始動案内凸条８１および第３始動案内凸条８２は、パチンコ球の案内上流側に延在する始動案内凸条８０,８１の上端面の下流側端縁よりも段差状に下げて、その上端面の上流側端縁が形成されている。
【００４１】
図５に示すように、前記始動排出部７０には、始動上壁７２および始動後壁７４の間に亘って、これらの壁７２,７４より該始動排出部７０内に突出するリブ形状の始動変向案内片８３が設けられている。始動変向案内片８３は、左右方向の中央部に１条配置されて、前から後に向かうにつれて下方傾斜する端面が、第３始動通路部６８の後方開口に向かい合うように延在している。そして、始動変向案内片８３は、第３始動通路部６８で前から後に向けて案内されてきたパチンコ球を、始動排出部７０において下に向かうように案内するようになっている。始動後壁７４には、始動変向案内片８３の下端に連ねて、始動排出部７０に合わせて上下方向に延在する後始動排出案内片８４が設けられている(図１８参照)。また、始動カバー部材５０の始動前壁７５には、後始動排出案内片８４に対向して、上下方向に延在する前始動排出案内片８５が設けられている(図１７参照)。前後の始動排出案内片８４,８５は、壁７４,７５における左右方向中央部に１条配置されて、始動排出部７０内に突出するリブ状に形成されている。なお、前後の始動排出案内片８４,８５の間は、パチンコ球１個ずつの通過を許容する幅に設定されている。
【００４２】
(始動発光手段)
図５および図１６に示すように、前記始動カバー部材５０における始動前壁７５の前側には、前方に向けて光を照射し得る始動発光手段７６が配設されている。始動発光手段７６は、基板７６ａの前面に実装されたＬＥＤ等の始動発光体(発光体)７６ｂを有し、実施例では、第３始動通路部６８の下側に、始動排出部７０の左右方向中央に位置して１個の始動発光体７６ｂが配置されている。そして、始動発光手段７６は、始動発光体７６ｂから光を照射することで、遊技領域２０ａにおいて遊技盤２０の前側に臨む始動飾り部材６２の直下部位を、透明な遊技盤２０を介して該遊技盤２０の裏側から照らすように構成されている。
【００４３】
(始動装飾部材)
前記始動入賞部３２は、始動排出部７０を遊技盤２０の裏面から離間するように形成することで、始動前壁７５と遊技盤２０の裏面との間に隙間を設け、該隙間を利用して、始動発光手段７６および前記始動装飾部材５７を前後に重ねて配設している(図５参照)。始動カバー部材５０における始動前壁７５の前側には、透明な遊技盤２０を介して前側から視認可能な始動装飾部材５７が配設されている。始動装飾部材５７は、始動発光手段７６の前側を覆うように配置された板状体であり、光を透過可能で、かつ透過する光を拡散し得るように構成されている。実施例の始動装飾部材５７は、無色透明である。また、始動装飾部材５７は、始動発光手段７６に対向する後面が凹凸形状からなる光拡散構造とされると共に、遊技盤２０の裏面に対向する前面が該遊技盤２０の裏面に沿って平坦に形成されている。なお、始動装飾部材５７の前面は、第３始動通路部６８の前端と前後位置が揃っており、遊技盤２０の裏面とほぼ隙間なく対面している。そして、始動装飾部材５７は、光拡散構造によって後側に位置する始動発光手段７６の基板７６ａの前面に配設された始動発光体７６ｂや抵抗(図示せず)などの素子を見づらくすることができ、始動発光体７６ｂからの光で照らされて発光するようになっている。このように、始動装飾部材５７は、遊技領域２０ａにおいて遊技盤２０の前側に臨む始動飾り部材６２の直下部位を、透明な遊技盤２０を介して見える該始動装飾部材５７自体および該始動装飾部材５７の発光により装飾するようになっている。
【００４４】
(始動発光手段の取り付け構造)
前記始動発光手段７６は、前側を覆う始動装飾部材５７と、始動カバー部材５０の始動前壁７５との間に挟まれて保持されている。具体的には、始動装飾部材５７には、左右の側縁の夫々に外側方に延びる基板保持片５７ａ,５７ａが設けられ、左側の基板保持片５７ａを始動発光手段７６の基板７６ａ前面に当接させた状態で始動カバー部材５０にネジ止めしている(図１６および図１７参照)。また、右側の基板保持片５７ａは、始動発光手段７６の基板７６ａ前面に当接させた状態で、始動カバー部材５０の右側に取り付けられる右装飾部材５８により前側から押さえられる。このように、始動発光手段７６の基板７６ａは、直接ネジ止めされることなく、始動装飾部材５７の一対の基板保持片５７ａ,５７ａによって前側から保持される。
【００４５】
(普通入賞部の詳細について)
図７〜図９に示すように、前記普通入賞部(第２の入賞部,入賞部)３６は、遊技領域２０ａに開口する普通入賞口３６ａ,３６ｂ,３６ｃと、該普通入賞口３６ａ,３６ｂ,３６ｃから入賞したパチンコ球を遊技盤２０の表側から裏側に案内して該裏側で流下排出する普通球通路(第２の球通路,球通路)９０と、該普通球通路９０を通るパチンコ球を検出する普通入賞球検出センサ(球検出センサ)３７とを備えている。普通入賞部３６では、遊技盤２０に取り付けられるサイド飾り部材９２に普通入賞口３６ａ,３６ｂ,３６ｃが複数設けられると共に、該サイド飾り部材９２と、遊技盤２０の裏側に配設される通路ベース部材４８および該通路ベース部材４８の前側に配設される普通カバー部材５２の間とに亘って、前記普通球通路９０が形成されている。実施例の普通球通路９０は、サイド飾り部材９２に設けられた第１普通通路部(第１通路部)９４と、サイド飾り部材９２に設けられ、第１普通通路部９４におけるパチンコ球の案内下流側に接続される第２普通通路部(第２通路部)９６と、前記普通カバー部材５２および通路ベース部材４８で画成され、第２普通通路部９６におけるパチンコ球の案内下流側に接続される第３普通通路部(第３通路部)９８と、この第３普通通路部９８におけるパチンコ球の案内下流側に接続され、パチンコ球を遊技盤２０の裏側において流下案内する普通排出部(排出部)１００とによって基本的に構成されている。
【００４６】
図１３および図１４に示すように、前記サイド飾り部材９２には、複数(実施例では３つ)の普通入賞口３６ａ,３６ｂ,３６ｃが設けられている。複数の普通入賞口３６ａ,３６ｂ,３６ｃは、上下方向および左右方向にずらして配置されている(図１４参照)。実施例では、サイド飾り部材９２の左側部に配置された左普通入賞口３６ａと、この左普通入賞口３６ａの右側に隣接して該左普通入賞口３６ａよりも低い位置に配置された中普通入賞口３６ｂと、この中普通入賞口３６ｂの右側に間隔をあけて該中普通入賞口３６ｂよりも低い位置に配置された右普通入賞口３６ｃとを有し、遊技領域２０ａの左側部から中央側に向かうにつれて普通入賞口３６ａ,３６ｂ,３６ｃの開口位置が低くなっている。そして、普通球通路６０は、第１普通通路部９４から、第２普通通路部９６、第３普通通路部９８、普通排出部１００までが普通入賞口３６ａ,３６ｂ,３６ｃの夫々に対応して個別に設けられ、複数の普通排出部１００が、該普通排出部１００におけるパチンコ球の案内下流側に設けられた共通排出部１０１に接続されて、複数の普通排出部１００で案内されたパチンコ球が共通排出部１０１でまとめて排出されるようになっている(図１８参照)。なお、実施例の普通入賞部３６は、普通球通路９０の共通排出部１０１を通るパチンコ球を普通入賞球検出センサ３７で検出するよう構成される(図９参照)。ここで、普通入賞部３６では、普通入賞口３６ａ,３６ｂ,３６ｃに対応して設けられる第１普通通路部９４、第２普通通路部９６、第３普通通路部９８および普通排出部１００の基本的な構成が同じであるので、共通する部分についてはまとめて説明する。
【００４７】
(サイド飾り部材)
前記サイド飾り部材９２は、遊技盤２０の左側部下側に開設された装着口２５に整合させて装着されている。図１３に示すように、サイド飾り部材９２は、遊技盤２０に取り付けられるサイド後半体１１６と、このサイド後半体１１６の前側に取り付けられるサイド前半体１１８とから構成されている。サイド飾り部材９２は、サイド前半体１１８に設けられ、パチンコ球を案内し得る樋状に形成された第１普通通路部９４と、該第１普通通路部９４に対応してサイド後半体１１６に設けられ、パチンコ球を案内し得る樋状に形成された第２普通通路部９６とを備えている。
【００４８】
(サイド後半体)
図１３および図１４に示すように、前記サイド後半体１１６は、サイド飾り部材９２が装着される装着口２５の開口面積よりも大きく形成された板状のサイド取付板部１１６ａと、このサイド取付板部１１６ａの後面から後方へ突出し、遊技盤２０の左下側に開設された装着口２５の開口形状に合わせて延在するように形成されたサイド突状部１１６ｂとを有している。サイド後半体１１６は、サイド突状部１１６ｂを装着口２５に嵌め合わせて、遊技盤２０における装着口２５の開口縁前側に重なるサイド取付板部１１６ａの外周縁をネジ止めして、該サイド取付板部１１６ａで装着口２５を覆うように取り付けられている。ここで、サイド後半体１１６は、前記第２普通通路部９６を含めて全体として光を透過可能に構成されると共に、少なくともサイド取付板部１１６ａにおける装着口２５に重なる部分が、透過する光を拡散し得るように構成されている。
【００４９】
図７〜図９に示すように、前記サイド前半体１１８は、サイド後半体１１６に取り付けた際に、装着口２５を覆うサイド取付板部１１６ａの前側に、１個のパチンコ球を通過可能な間隔をあけて離間配置されるサイド装飾板部１１８ａを有している。サイド装飾板部１１８ａは、その外縁形状が、サイド取付板部１１６ａの外周縁の遊技盤２０へのネジ止め部分を除いて該サイド取付板部１１６ａの外縁形状とほぼ同じに形成されて、サイド取付板部１１６ａとサイド装飾板部１１８ａとが前後に揃うようになっている(図１３および図１４参照)。また、サイド前半体１１８は、サイド装飾板部１１８ａの後面から後方へ突出するように形成された複数の第１普通通路部９４およびサイド案内壁部１１８ｂを有し、サイド案内壁部１１８ｂが複数の第１普通通路部９４よりも遊技盤２０におけるパチンコ球の流下方向上流側でかつ左側に配置されている。サイド前半体１１８は、複数の第１普通通路部９４およびサイド案内壁部１１８ｂの後端をサイド取付板部１１６ａの前面に当接させた状態でサイド後半体１１６にネジ止め固定され、サイド案内壁部１１８ｂによって遊技領域２０ａの内側の案内レール２６に沿う左側部を流下するパチンコ球を右側へ案内するようになっている。ここで、サイド前半体１１８は、前記第１普通通路部９４を含めて全体として光を透過可能に構成されて、サイド装飾板部１１８ａが有色透明の塗装によって装飾されている。
【００５０】
(第１普通通路部)
図１３(ｂ)に示すように、前記第１普通通路部９４は、遊技盤２０の盤面から１個のパチンコ球が通過可能な間隔をあけて配置されるサイド装飾板部１１８ａによって前面が構成されると共に、このサイド装飾板部１１８ａの後面から後方へ延出するよう形成された上方に開放した樋状部分によって、パチンコ球の案内経路が構成されている。ここで、普通入賞口３６ａ,３６ｂ,３６ｃは、サイド装飾板部１１８ａと第１普通通路部９４における左右の壁部とによって画成され、該普通入賞口３６ａ,３６ｂ,３６ｃは、パチンコ球の１個ずつの通過を許容し得る開口寸法でサイド飾り部材９２におけるサイド装飾板部１１８ａとサイド取付板部１１６ａとの間に形成されている(図７〜図９参照)。また、第１普通通路部９４は、樋状部分が後方に開口しており、普通入賞口３６ａ,３６ｂ,３６ｃから受け入れたパチンコ球を後方へ向けて案内するように構成されている。第１普通通路部９４は、樋状部分の左右の壁部で規定される通路幅が、パチンコ球の１個ずつの通過を許容する寸法に設定されている。すなわち、第１普通通路部９４は、普通入賞口３６ａ,３６ｂ,３６ｃから１個ずつ受け入れたパチンコ球を、１個ずつ並べて後方(遊技盤２０の裏側)に案内し得るようになっている。ここで、第１普通通路部９４は、サイド後半体１１６のサイド取付板部１１６ａと別体に形成されて、その樋状部分の後端面を、サイド取付板部１１６ａに前後に貫通形成された通口(第２普通通路部９６の前方開口)を囲うように該サイド取付板部１１６ａに当接させている。このように、第１普通通路部９４は、普通入賞部３６において遊技盤２０の前側に配置される通路部分を主に構成している。ここで、左普通入賞口３６ａに対応した第１普通通路部９４と、中普通入賞口３６ｂに対応した第１普通通路部９４とは、樋状部分の壁の１つを共用するように形成されている(図１３(ｂ)参照)。また、中普通入賞口３６ｂに対応した第１普通通路部９４と、右普通入賞口３６ｃに対応した第１普通通路部９４とは、パチンコ球が通過可能な間隔をあけて配置されている(図１４参照)。
【００５１】
(普通入賞口)
図１４に示すように、前記左普通入賞口３６ａおよび中普通入賞口３６ｂは、第１普通通路部９４における上下方向に延在して平行する左右の壁によって鉛直方向上方に開放するように画成されて、上から下に向けて直線的に流下するパチンコ球が入賞可能になっている。これに対して、右普通入賞口３６ｃは、右斜め上側に指向するように開口し、左斜め下側に向けてパチンコ球が入賞するようになっている。右普通入賞口３６ｃに対応した第１普通通路部９４は、左側の壁が底部の上方まで延在するように庇状に形成され、右側の壁が左側の壁の延出端の下側に位置するように低く形成されている。なお、右普通入賞口３６ｃに対応した第２普通通路部９６は、該第２普通通路部９６が連なる第１普通通路部９４と同様の形状になっている(図１３(ｃ)参照)。
【００５２】
(第２普通通路部)
図７〜図９に示すように、前記第２普通通路部９６は、第１普通通路部９４の樋状部分の後側に連なるように、サイド取付板部１１６ａと一体的に形成されている。第２普通通路部９６は、サイド取付板部１１６ａに開設された前記通口を囲うと共に後方へ延出する樋状部分からなり(図１３(ｂ)参照)、第１普通通路部９４から受け入れたパチンコ球を、該第１普通通路部９４によるパチンコ球の案内方向と同じとなる後方へ案内するように構成されている。すなわち、第１普通通路部９４と第２普通通路部８６とは、樋状部分で構成されるパチンコ球の案内経路が前後方向に一直線に並んでいる(図４参照)。第２普通通路部９６は、上方に開放した樋状部分の左右の壁部で規定される通路幅が、パチンコ球の１個ずつの通過を許容する寸法に設定されている。すなわち、第２普通通路部９６は、第１普通通路部９４から１個ずつ流入するパチンコ球を、１個ずつ並べたまま後方(遊技盤２０の裏側)に案内し得るようになっている。第２普通通路部９６は、遊技盤２０の盤面に当接するサイド取付板部１１６ａから後方へ突出して装着口２５に挿入されて、該装着口２５内に配設されている。ここで、第２普通通路部９６において後方に開口する樋状部分の後端が、普通入賞部３６における遊技盤２０に開設された装着口２５を介して該遊技盤２０の裏側に臨む出口となり、この出口の前後位置が遊技盤２０の裏面に揃っている。このように、第２普通通路部９６は、普通入賞部９２において遊技盤２０の厚み部分に配置される通路部分を主に構成している。なお、第２普通通路部９６は、樋状部分の左右の壁部上端が、第１普通通路部９４の壁部上端よりも低く設定されている。そして、パチンコ機１０では、始動入賞部３２の第２始動通路部６６の後端と、普通入賞部３６における３箇所の第２普通通路部９６の後端とは、前後位置が同じになるよう設定されて、始動球通路６０および普通球通路９０における遊技盤２０側の出口が該遊技盤２０の裏面に揃っている(図５,図７〜図９参照)。
【００５３】
(第３普通通路部)
図４,図７〜図９および図１６に示すように、前記第３普通通路部９８は、前記通路ベース部材４８の上縁に延在する普通上壁１０２の前縁と、この普通上壁１０２の下側に連なるように通路ベース部材４８に設けられ、左右に対向する一対の普通縦壁１０３,１０３の前縁とによって、上および左右が囲われている。また、第３普通通路部９８は、通路ベース部材４８の前側に配設された普通カバー部材５２の上端縁によって下側が囲われており、普通カバー部材５２によって底部が画成されている(図１５参照)。このように、第３普通通路部９８は、通路ベース部材４８の普通上壁１０２、左右の普通縦壁１０３,１０３および普通カバー部材５２によって、前後に貫通する筒状に形成されている。第３普通通路部９８は、第２普通通路部９６の後端を筒状部分の前方開口で囲うように、該第２普通通路部９６の後側に連ねて配設されている。また、第３普通通路部９８は、第２普通通路部９６から受け入れたパチンコ球を、該第２普通通路部９６によるパチンコ球の案内方向と同じとなる後方へ案内するように構成されている。すなわち、第１普通通路部９４、第２普通通路部９６から第３普通通路部９８にかけては、球案内経路が前後方向に一直線に並んでいる(図４参照)。第３普通通路部９８は、筒状部分で規定される通路幅が、パチンコ球の１個ずつの通過を許容する寸法に設定され、第２普通通路部９６から１個ずつ流入するパチンコ球を、１個ずつ並べて後方に案内し得るようになっている。左普通入賞口３６ａに対応する第３普通通路部９８は、左右の普通縦壁１０３,１０３が上下に延在する上部に対して中間部から左側方へ斜めに延在した後にその下側が再び上下に延在するように形成されている(図１８参照)。なお、左普通入賞口３６ａに対応する第３普通通路部９８と中普通入賞口３６ｂに対応する第３普通通路部９８とは、間に位置する普通縦壁１０３の１つを共用して画成されている。
【００５４】
図１５に示すように、前記普通カバー部材５２は、左普通入賞口３６ａに対応する第３普通通路部９８の底部を構成する上端縁の一部(左側部)が、左右方向内側(中央部)から外側(左方)に向かうにつれて上方傾斜するように形成されると共に、該第３普通通路部９８の底部を構成する上端縁の他部(右側部)が、水平方向に延在するよう形成されている。第３普通通路部９８における底部の通路傾斜部９９は、該底部において該第３普通通路部９８を画成する左右の普通縦壁１０３,１０３の斜め部分が上から下に向かうにつれて偏倚する側に設けられて、該左右の普通縦壁１０３,１０３の斜め部分によるパチンコ球の案内方向と交差するように延在形成されている。左普通入賞口３６ａに対応する第３普通通路部９８の底部には、右側の水平部における通路傾斜部９９に連なる部位に第３普通案内凸条１１２が配置され、左右方向中央部から若干右側に偏っている(図１５参照)。ここで、普通カバー部材５２は、中普通入賞口３６ｂに対応する第３普通通路部９８の底部を構成する上端縁が、水平方向に延在するよう形成されると共に、右普通入賞口３６ｃに対応する第３普通通路部９８の底部を構成する上端縁が、水平方向に延在するよう形成されている。そして、中普通入賞口３６ｂに対応する第３普通通路部９８および右普通入賞口３６ｃに対応する第３普通通路部９８では、水平な底部の左右方向中央部に、第３普通案内凸条１１２が配置されている。
【００５５】
(普通排出部)
図４,図７〜図９に示すように、前記普通排出部１００は、前記通路ベース部材４８の上縁に延在する普通上壁(通路壁,壁部)１０２と、通路ベース部材１８の右側部に設けられ、左右に対向する一対の普通縦壁(通路壁,壁部)１０３,１０３と、通路ベース部材４８における普通上壁１０２および左右の普通縦壁１０３,１０３によって囲われる普通後壁(通路壁,壁部)１０４と、該普通上壁１０２および左右の普通縦壁１０３,１０３の開放端側を覆うように配設される前記普通カバー部材５２とによって画成されている。すなわち、普通カバー部材５２は、普通排出部１００の前面を構成する普通前壁１０６を有し、この普通前壁１０６の上部に連ねて前記第３普通通路部９８の底部が一体的に形成されている。普通排出部１００は、上部が第３普通通路部９８の後方開口に整合して、該上部が該第３普通通路部９８の後側に連なると共に、第３普通通路部９８の後側から遊技盤２０の裏面に沿って下方へ延在している。ここで、中普通入賞口３６ｂおよび右普通入賞口３６ｃに対応する普通排出部１００は、左右の普通縦壁１０３,１０３が上下方向に直線的に延在すると共に、前後の普通前壁１０６および普通後壁１０４が上下方向に直線的に延在しており、該普通排出部１００は、遊技盤２０の裏面と平行な鉛直ラインでパチンコ球の流下させるように経路が形成されている(図１８参照)。これに対して、左普通入賞口３６ａに対応する普通排出部１００は、左右の普通縦壁１０３,１０３が上下に延在する上部に対して中間部から左側方へ斜めに延在した後に、第３普通通路部９８より下側の下部が上下方向に延在するように形成されている。すなわち、左普通入賞口３６ａに対応する普通排出部１００は、第３普通通路部９８の後側に連なる上部の入口に対して、共通排出部１０１に連なる下端が左側方にずれており、遊技盤２０の裏面に沿って流下するパチンコ球を左側方に案内した後に、鉛直ラインで案内するようになっている。
【００５６】
図７〜図９に示すように、前記普通球通路９０は、第１普通通路部９４、第２普通通路部９６および第３普通通路部９８によって前から後に向けてパチンコ球を案内し、普通排出部１００で向きを変えて下方へ案内して、普通排出部１００から共通排出部１０１に受け渡すようになっている。また、普通排出部１００は、左右の普通縦壁１０３,１０３で規定される左右の通路幅および前後の普通前壁１０６および普通後壁１０４で規定される前後の通路幅が、パチンコ球の１個ずつの通過を許容する寸法に設定され、第３普通通路部９８から１個ずつ流入するパチンコ球を、１個ずつ並べて下方に案内し得るようになっている。
【００５７】
(共通排出部)
図１８に示すように、前記共通排出部１０１は、通路ベース部材４８において前方に延出するように形成された一対の普通横壁１０５,１０５と、両普通横壁１０５,１０５の間に延在する前記普通後壁１０４と、両普通横壁１０５,１０５の開放端側を覆うように配設される前記普通カバー部材５２の普通前壁１０６とによって基本的に画成されている。共通排出部１０１は、左右方向に並ぶ複数(実施例では３本)の普通排出部１００の下端に連なり、普通排出部１００の夫々から流下するパチンコ球を、通路ベース部材４８の下部に設けられた排出口１０１ａにまとめて、該排出口１０１ａから排出するようになっている。下側の普通横壁１０５は、左普通入賞口３６ａに対応する普通排出部１００を画成する左側の普通縦壁１０３の下端に連ねて、左から右に向かうにつれて下方傾斜するように形成されている。上側の普通横壁１０５は、中普通入賞口３６ｂに対応する普通排出部１００を画成する右側の普通縦壁１０３の下端から、右普通入賞口３６ｃに対応する普通排出部１００を画成する左側の普通縦壁１０３の下端に向かうにつれて下方傾斜するように形成されている。共通排出部１０１の排出口１０１ａは、右普通入賞口３６ｃに対応する普通排出部１００の直下に設けられて、該普通排出部１００を画成する右側の普通縦壁１０３を下方に延長して該排出口１０１ａの一側面を構成している。このように、左普通入賞口３６ａおよび中普通入賞口３６ｂに対応する普通排出部１００を流下したパチンコ球は、共通排出部１０１により左から右側に転動するように案内されて、下方に開口する排出口１０１ａから排出される。また、右普通入賞口３６ｃに対応する普通排出部１００を流下したパチンコ球は、そのまま下方に位置する排出口１０１ａから排出される。
【００５８】
(普通排出部と第３普通通路部との関係)
図４,図７〜図９に示すように、前記普通入賞部３６は、該普通入賞部３６における遊技盤２０の裏側に臨む出口を構成する第２普通通路部９６の後端が該遊技盤２０の裏面に揃う前後位置に設定されているのに対して、普通排出部１００が普通カバー部材５２の板厚分だけ遊技盤２０の裏面から後方へ離間した位置に設けられている。すなわち、普通入賞部３６は、遊技盤２０に配設されるサイド飾り部材９２で形成される普通球通路９０の前側部分の出口(第２普通通路部９６の後端)と、設置部材４０に配設される通路ベース部材４８およびこの通路ベース部材４８に取り付けられる普通カバー部材５２で形成される普通球通路９０の後側部分の入口(普通排出部１００の上部前面)との間に隙間があいている。そこで、普通入賞部３６は、普通カバー部材５２における普通前壁１０６の上端縁を第３普通通路部９８として用いて、該第３普通通路部９８によって、第２普通通路部９６の後端と普通排出部１００との間を繋げている。すなわち、第３普通通路部９８は、サイド飾り部材９２に形成される普通球通路９０における前側部分の出口と、通路ベース部材４８および普通カバー部材５２とで形成される普通球通路９０における後側部分の入口とを間の隙間を繋いで、第２普通通路部９６から普通排出部１００にパチンコ球を案内する延長通路として機能している。
【００５９】
(普通入賞球検出センサ)
前記普通入賞球検出センサ３７は、前記通路ベース部材４８に設けられた普通センサ設置部１０８に配設され(図１６および図１８参照)、普通センサ設置部１０８の前側を覆う前記普通カバー部材５２の普通前壁１０６によって保持されている。普通入賞球検出センサ３７は、略矩形箱状のセンサ本体の厚み方向に貫通形成されて、パチンコ球が通過可能な球通過口３７ａを有するマイクロスイッチであり、球通過口３７ａの内側に進退可能に突出するスイッチ片が、該球通過口３７ａを通過するパチンコ球によって押されることでパチンコ球を検出するよう構成される。実施例では、始動入賞球検出センサ３３と普通入賞球検出センサ３７とが異なる検出方式のものであるが、普通入賞球検出センサ３７についても始動入賞球検出センサ３３と同様に検出精度に優れた誘導式近接スイッチを用いてもよい。ここで、普通入賞部３６は、普通球通路９０の共通排出部１０１に案内されて、前記排出口１０１ａを上から下に流下するパチンコ球を普通入賞球検出センサ３７で検出するように構成されている。
【００６０】
(普通センサ設置部)
図１８に示すように、前記普通センサ設置部１０８は、通路ベース部材４８および普通カバー部材５２とによって、共通排出部１０１の排出口１０１ａに対応して設けられている。普通センサ設置部１０８は、下側の普通横壁１０５と、この普通横壁１０５の下側に延在する横壁と、右普通入賞口３６ｃに対応する普通排出部１００を画成する右側の普通縦壁１０３と、この普通縦壁１０３の左側に対向配置された縦壁によって、前側に開放するように形成されている。また、前記右側の普通縦壁１０３には、排出口１０１ａの開口内側に向けて延出する上下の突片が設けられている。普通入賞球検出センサ３７は、普通センサ設置部１０８に収容すると、該普通センサ設置部１０８を構成する壁および突片によって上下左右の移動が規制された状態で保持され、その長手辺を左右に沿わせると共に短手辺を前後に沿わせて、厚み方向を上下に沿わせた姿勢で排出口１０１ａに球通過口３７ａを整合させた状態で位置決めされる(図９参照)。そして、普通センサ設置部１０８に収容された普通入賞球検出センサ３７は、普通排出部１００および共通排出部１０１の前面をなす普通カバー部材５２の普通前壁１０６によって前側が覆われ、前側の移動が規制されて、普通後壁１０４と普通前壁１０６との間で前後に位置決めされる。普通カバー部材５２には、通路ベース部材４８の普通センサ設置部１０８に対応する部位を前方に突出して後方に開放した凹状の普通センサ収容部５３ａが設けられ(図１７参照)、通路カバー部材５２を通路ベース部材４８に取り付けた際に、普通センサ収容部５３ａに、普通センサ設置部１０８に収容した普通入賞球検出センサ３７の前端部が嵌まるようになっている。なお、普通入賞球検出センサ３７は、普通カバー部材５２を通路ベース部材４８から取り外すことで、簡単に着脱することができる。
【００６１】
(予備センサ設置部)
図１８に示すように、前記通路ベース部材４８には、左普通入賞口３６ａに対応する普通排出部１００および中普通入賞口３６ｂに対応する普通排出部１００の夫々を通過するパチンコ球を検出する球検出センサ(図示せず)を設置し得る予備センサ設置部１０９が、各普通排出部１００に設けられている。ここで、実施例の予備センサ設置部１０９は、普通排出部１００における第３普通通路部９８に連なる入口部分(上部)の直下に設けられている。予備センサ設置部１０９は、通路ベース部材４８に立設された壁や該壁から突出するリブによって前方に開放するように形成されて、普通入賞球検出センサ３７と同様の球検出センサを収容した際に上下左右の位置決めをし得るよう構成されている。普通カバー部材５２には、通路ベース部材４８の予備センサ設置部１０９に対応する部位を前方に突出して後方に開放した凹状の予備センサ収容部５３ｂが設けられ(図１７参照)、通路カバー部材５２を通路ベース部材４８に取り付けた際に、予備センサ収容部５３ｂに、予備センサ設置部１０９に収容した球検出センサの前端部が嵌まるようになっている。なお、予備センサ設置部１０９は、試験等において球検出センサを設置する際に用いられ、通常の使用状態では当該予備センサ部に球検出センサは設置されていない。
【００６２】
(配線スペース)
前記普通カバー部材５２は、共通排出部１０１の前側を構成する普通前壁１０６における一般部分１０６ａの前面よりも、普通センサ収容部５３ａおよび予備センサ収容部５３ｂとなる普通前壁１０６における突出部分１０６ｂの前面が前側に位置しており、該普通カバー部材５２の前面が該突出部分１０６ｂよりも一般部分１０６ａが後方へ凹む段状になっている(図９および図１６参照)。そして、普通カバー部材５２は、前記突出部分１０６ｂの前面を遊技盤２０の裏面にほぼ隙間なく対向するように配置しても、前記一般部分１０６ａと遊技盤２０の裏面との間に隙間が画成されるようになっている。実施例では、普通カバー部材５２の一般部分１０６ａと遊技盤２０の裏面との隙間を左右に通して、通路ベース部材４８の左側から該通路ベース部材４８の右側下部に設けられた始動センサ設置部７８に設置された始動入賞球検出センサ３３に繋がる配線Ｈ(図１５参照)が配設されている。このように、普通カバー部材５２の前面に形成される前後の段差によって遊技盤２０の裏面との間にできる僅かな隙間を利用して、配線Ｈを配設している。
【００６３】
(普通案内凸条)
図４,図７〜図９に示すように、前記普通入賞部３６は、第１普通通路部９４の底部から突出して設けられ、該第１普通通路部９４によるパチンコ球の案内方向に延在する第１普通案内凸条(第１案内凸条)１１０と、第２普通通路部９６の底部から突出すると共に第１普通案内凸条１１０に連ねて設けられ、該第２普通通路部９６によるパチンコ球の案内方向に延在する第２普通案内凸条(第２案内凸条)１１１と、第３普通通路部９８の底部を画成する普通カバー部材５２の上端縁から突出すると共に第２普通案内凸条１１１に連ねて設けられ、該第３普通通路部９８によるパチンコ球の案内方向に延在する第３普通案内凸条(第３案内凸条)１１２とを備えている。第１普通案内凸条１１０は、サイド装飾板部１１８ａの内側に連ねて第１普通通路部９４において前後に延在するように形成され、該第１普通通路部９４における左右の壁間の略中央部に位置して１条設けられている。第１普通案内凸条１１０は、その上端面の左右幅が、該第１普通案内凸条１１０と第１普通通路部９４の左右壁との離間寸法よりも小さくなるように設定され、前後方向に亘って同じ幅で形成されている。第２普通案内凸条１１１は、第１普通案内凸条１１０の後端に連ねて第２普通通路部９６に前後に延在するように形成され、該第２普通通路部９６における左右の壁間の略中央部に位置して１条設けられている。第２普通案内凸条１１１は、その上端面の左右幅が、該第２普通案内凸条１１１と第２普通通路部９６の左右壁との離間寸法よりも小さくなるように設定され、前後方向に亘って同じ幅で形成されている。ここで、第２普通案内凸条１１１の上端面の左右幅は、第１普通案内凸条１１０の上端面と略同じに設定されている。第３普通案内凸条１１２は、第２普通案内凸条１１１の後端に連ねて第３普通通路部９８に前後に延在するように形成され、該第３普通通路部９８における左右の壁間の略中央部に位置して１条設けられている。第３普通案内凸条１１２は、その上端面の左右幅が、該第３普通案内凸条１１２と第３普通通路部９８の左右壁との離間寸法よりも小さくなるように設定され、前後方向に亘って同じ幅で形成されている。ここで、第３普通案内凸条１１２の上端面の左右幅は、第２普通案内凸条１１１の上端面よりも僅かに小さく設定されている。このように、第１普通案内凸条１１０、第２普通案内凸条１１１および第３普通案内凸条１１２は、第１普通通路部９４、第２普通通路部９６および第３普通通路部９８によって形成されるパチンコ球の案内経路に合わせて前後方向に直線的に並んでいる(図４参照)。
【００６４】
(第３普通案内凸条)
前記第３普通案内凸条１１２は、普通カバー部材５２において共通排出部１０１の前面を構成する普通前壁１０６の一般部分１０６ａよりも、前方に向けて突出する突出部分１０６ｂの上端縁に設けられている(図１６および図１７参照)。換言すると、第３普通通路部９８の底部は、普通カバー部材５２の上部に設けられた突出部分１０６ｂによって構成され、この突出部分１０６ｂによって普通排出部１００と遊技盤２０の裏側に臨む第２普通通路部８６との間を繋いでいる。右普通入賞口３６ｃに対応する第３普通通路部９８および左普通入賞口３６ａに対応する第３普通通路部９８では、普通カバー部材５２の上縁に前方に向けて突出するよう形成された突出部分１０６ｂの上端縁に、第３普通案内凸条１１２が夫々形成されている。また、中普通入賞口３６ｂに対応する第３普通通路部９８では、予備センサ収容部５３ｂにより形成される突出部分１０６ｂの上端縁に、第３普通案内凸条１１２が形成されている。このように、普通カバー部材５２は、普通センサ収容部５３ａおよび予備センサ収容部５３ｂによって前面に段差が生じるが、第３普通通路部９８の底部をなす上縁に普通センサ収容部５３ａおよび予備センサ収容部５３ｂに合わせて突出部分１０６ｂを形成したり、予備センサ収容部５３ｂ自体を突出部分１０６ｂとして用いることで、第２普通通路部９６と大きな隙間をあけずに連なるように、該第３普通通路部９８を構成している。
【００６５】
(普通案内凸条の上端面)
図７〜図９に示すように、前記第１普通案内凸条１１０、前記第２普通案内凸条１１１および前記第３普通案内凸条１１２は、普通入賞口３６ａ,３６ｂ,３６ｃ側から普通排出部１００側(前から後)に向かうにつれて、パチンコ球が当接する上端面が下がるように形成されている。第１普通案内凸条１１０の上端面は、サイド装飾板部１１８ａの内面に連なる前縁から後方に向かうにつれて略円弧状に下方傾斜するように形成され、後縁が第１普通通路部９４の後端と前後位置が揃うように構成されている。第２普通案内凸条１１１の上端面は、パチンコ球の案内上流側に隣り合う第１普通案内凸条１１０の上端面よりも上下位置が低くなるように設定されている。第２普通案内凸条１１１の上端面は、第２普通通路部９６の前端に前後位置を揃えた前縁から後方に向かうにつれて下方傾斜するように形成されて、後縁が第２普通通路部９６の後端と前後位置が揃うように構成されている。第３普通案内凸条１１２の上端面は、第３普通通路部９８の前端に前後位置を揃えた前縁から後方に向かうにつれて下方傾斜するように形成されて、後縁が第３普通通路部９８の後端と前後位置が揃うように構成されている。第３普通案内凸条１１２の上端面は、パチンコ球の案内上流側に隣り合う第２普通案内凸条１１１の上端面よりも上下位置が低くなるように設定されている。実施例では、第１普通案内凸条１１０、第２普通案内凸条１１１および第３普通案内凸条１１２が、普通入賞口３６ａ,３６ｂ,３６ｃ側から普通排出部１００側(前から後)に向かうにつれて、普通通路部９４,９６,９８の底部からの該普通案内凸条１１０,１１１,１１２の突出寸法が次第に小さくなるように設定されて、パチンコ球が当接する上端面が前から後に向かうにつれて下方傾斜するように形成されている。
【００６６】
(普通案内凸条の上端面の段差)
前記第２普通案内凸条１１１は、その上端面の前縁が、第１普通案内凸条１１０における上端面の後縁よりも下方に位置するように形成されて、該第２普通案内凸条１１１の上端面が第１普通案内凸条１１０の上端面より下がる段差状になるよう構成されている。第３普通案内凸条１１２は、その上端面の前縁が、第２普通案内凸条１１１における上端面の後縁よりも下方に位置するように形成されて、該第３普通案内凸条１１２の上端面が第２普通案内凸条１１１の上端面より下がる段差状になるよう構成されている。すなわち、第２普通案内凸条１１１および第３普通案内凸条１１２は、パチンコ球の案内上流側に延在する普通案内凸条１１０,１１１の上端面の下流側端縁よりも段差状に下げて、その上端面の上流側端縁が形成されている(図７〜図９参照)。
【００６７】
前記普通排出部１００には、普通上壁１０２および普通後壁１０４の間に亘って、これらの壁１０２,１０４より該普通排出部１００内に突出するリブ形状の普通変向案内片１１３が設けられている(図７〜図９参照)。普通変向案内片１１３は、左右方向の中央部に１条配置されて、前から後に向かうにつれて下方傾斜する端面が、第３普通通路部９８の後方開口に向かい合うように延在している。そして、普通変向案内片１１３は、第３普通通路部９８で前から後に向けて案内されてきたパチンコ球を、普通排出部１００において下に向かうように案内するようになっている。普通後壁１０４には、普通変向案内片１１３の下端に連ねて、普通排出部１００および共通排出部１０１の経路に合わせて延在する後普通排出案内片１１４が設けられている(図１８参照)。後普通排出案内片１１４は、排出部１００,１０１における中央部に１条配置されて、普通球通路９０内に突出するリブ状に形成されている。なお、後普通排出案内片１１４と普通前壁１０６との間は、パチンコ球１個ずつの通過を許容する幅に設定されている。
【００６８】
(照明手段)
前記通路ベース部材４８の後側には、普通球通路９０の形成部位に対応して、光を透過可能に構成された該形成部位を介して前側へ光を照射し得る照明手段１２０が配設されている(図７〜図９参照)。照明手段１２０は、基板１２０ａの前面に実装されたＬＥＤ等の照明発光体(発光体)１２０ｂを有し、実施例では、普通球通路９０における普通排出部１００および共通排出部１０１の後側から該普通球通路９０の右側に設けられた始動球通路６０の始動排出部７０の手前までに亘って、通路ベース部材４８の後側に基板１２０ａが延在している(図１８参照)。照明手段１２０は、普通排出部１００および共通排出部１０１に重なるように配置された照明発光体１２０ｂを有すると共に、通路ベース部材４８の普通球通路９０と始動球通路６０との間の領域に対応して左右に並んで配置された照明発光体１２０ｂを有し、これらの照明発光体１２０ｂから前方へ光を照射し得るようになっている。そして、照明手段１２０は、照明発光体１２０ｂから光を照射することで、遊技領域２０ａにおいて遊技盤２０の前側に臨むサイド飾り部材９２を、透明な遊技盤２０を介して裏側から照らすと共に、サイド飾り部材９２および始動飾り部材６２の間に透明な遊技盤２０を介して臨む中装飾部材５６を照らして発光させるように構成されている。
【００６９】
前記遊技盤２０の裏側には、始動入賞部(第１の入賞部)３２の始動排出部(第１の排出部)７０と普通入賞部(第２の入賞部)３６の普通排出部(第２の排出部)１００とが、設置部材４０に配設された通路ベース部材４８に何れも設けられている(図１８参照)。ここで、始動入賞部３２の始動排出部７０は、遊技盤２０の裏面と前後に間隔をあけて延在するように設けられ、該始動排出部７０の前壁をなす始動カバー部材５０の始動前壁７５と遊技盤２０の裏面との間に、始動装飾部材５７および始動発光手段７６を設置し得る部材配設スペースを確保している(図４および図５参照)。これに対して、普通入賞部３６の普通排出部１００は、始動排出部７０よりも前側に延在するように設けられて、図９において２点鎖線で示す始動排出部７０よりも遊技盤２０の裏面に近接配置されている。そして、普通排出部１００は、該普通排出部１００の前壁をなす普通カバー部材５２の普通前壁１０６に設けられた段差により配線Ｈを配設可能に最小限の隙間を遊技盤２０の裏面との間に形成しているだけである。また、普通排出部１００は、該普通排出部１００の後面をなす普通後壁１０４が、始動排出部７０の後面をなす始動後壁７４よりも前側に位置している(図１５(ｂ)参照)。すなわち、通路ベース部材４８の後面は、普通排出部１００および共通排出部１０１に対応する部位が、始動排出部７０に対応する部位よりも前側に延在する段差状になっており、普通排出部１００および共通排出部１０１に対応する部位の後側に、照明手段１２０を設置し得る部材配設スペースを確保している(図１５(ｂ)参照)。
【００７０】
前記始動入賞部３２および普通入賞部３６は、遊技盤２０側の出口となる第２始動通路部６６および第２普通通路部９６の後端が、同じ前後位置に揃っている(図４参照)。従って、始動排出部７０と普通排出部１００との前後位置の違いにより、第２始動通路部６６および始動排出部７０の間隔と、第２普通通路部９６および普通排出部１００の間隔とが相違している。ここで、始動入賞部３２は、第２始動通路部６６および始動排出部７０の比較的広い間隔に合わせて前後寸法が設定された第３始動通路部６８によって当該間隔を埋める延長通路を形成して、第２始動通路部６６から始動排出部７０へパチンコ球を案内するように構成される(図５参照)。これに対して、普通入賞部３６は、第２普通通路部９６および普通排出部１００の比較的狭い間隔に合わせて前後寸法が設定された第３普通通路部９８(普通カバー部材５２の厚み)によって当該間隔を埋めて、第２普通通路部９６から普通排出部１００へパチンコ球を案内するように構成されている(図７〜図９参照)。
【００７１】
(電波による不正行為について)
前記パチンコ機１０では、始動入賞球検出センサ３３および特別入賞球検出センサ３５(図４参照)として、何れも同一の検出方式の誘導式近接スイッチが採用されている。以下の説明では、始動入賞球検出センサ３３を例に挙げて詳述するが、センサに関する基本的な構成は特別入賞球検出センサ３５も同じである。始動入賞球検出センサ３３は、発振回路等を備えたセンサ本体と、コイルが設けられてパチンコ球が通過可能な球通過口(球通過検出部)３３ａとを基本構成としている。始動入賞球検出センサ３３は、パチンコ球を検出していない状態(パチンコ球が球通過口３３ａを通過していない状態)では、発振回路が発振して、高レベルの信号(以下、ハイレベル信号という)を出力するように設定されている。一方、始動入賞球検出センサ３３は、パチンコ球を検出している状態(パチンコ球が球通過口３３ａを通過している間)では、発振回路の発振が停止または減衰して、低レベルの信号(以下、ローレベル信号という)を出力するように設定されている。そして、制御装置は、始動入賞球検出センサ３３からの出力信号がハイレベル信号からローレベル信号に切り換わったときにパチンコ球を１カウントして賞球を払い出するよう構成される。
【００７２】
前記始動入賞球検出センサ３３に電波を放射して、該始動入賞球検出センサ３３の出力信号を強制的に変更する不正行為(以下、不正電波行為という)が行われることがある。一般的に、この不正電波行為は、不正行為者が遊技盤の斜め下方に電波発生器を隠し持ち、始動入賞部３２や特別入賞部３４等が設けられる遊技盤２０の下部へ向けて電波を電波発生器から放射して行われる。この電波発生器から放射される電波を、パチンコ球が球通過口３３ａを通過する間に始動入賞球検出センサ３３が浴びると、該始動入賞球検出センサ３３は、断続的な発振があったと誤検出してしまう。その結果、始動入賞球検出センサ３３は、ローレベル信号およびハイレベル信号を繰り返し出力し、前記制御装置は、ハイレベル信号からローレベル信号に切り換わる度にパチンコ球をカウントすることとなる。そして、制御装置は、１個のパチンコ球が球通過口３３ａを通過したのにも拘わらず、複数個分のカウントをして、多くの賞球を払い出したり、特図当り抽選が行われてしまうおそれがある。そこで、実施例のパチンコ機１０には、このような不正電波行為を検出するべく、前記通路ユニット４６に設けられた装置設置部(設置部)１３４に不正検出装置(不正行為検出手段)１２２が設置されている(図４,図６および図１１参照)。
【００７３】
(不正検出装置について)
図６,図１６および図１７に示すように、前記不正検出装置１２２は、検出センサユニット(検出部)１２４と、検出用金属球(金属球)１３２とから基本的に構成されている。検出センサユニット１２４は、略矩形箱状のセンサユニット本体１２５と、このセンサユニット本体１２５の厚み方向に貫通する検出口１２６とから基本的に構成され、実施例では、前述した始動入賞部３２や特別入賞部３４等に設けられる球検出センサ３３,３５と同一のものが採用されている。すなわち、検出センサユニット１２４は、誘導式近接スイッチである。検出口１２６の開口円の直径は、検出用金属球１３２の直径より僅かに大きく設定されている。検出口１２６には、開口縁に沿って検出コイル１２７(図１９)が巻装されており、該検出コイル１２７により検出口１２６の周囲に磁界を発生させるようになっている。ここで、検出口１２６は、センサユニット本体１２５の長手方向の一方の端部側に偏倚して設けられている。
【００７４】
図１９に示すように、前記センサユニット本体１２５には、発振回路１２８、発振検出回路１２９および出力回路１３０が設けられている。発振回路１２８は、検出口１２６の磁界中に磁性体(検出用金属球１３２)が存在しない状態で、高周波(例えば、１ＭＨｚ)で発振し、検出口１２６の磁界中に磁性体(検出用金属球)１３２が存在すると、該発振回路１２８は、発振を停止または減衰させるようになっている。実施例の発振回路１２８は、検出口１２６に磁性体(検出用金属球１３２)が存在した状態で、発振を停止させるように設定されている。前記発振検出回路１２９は、前記発振回路１２８の発振状態を検出して、当該発振状態に応じた信号を出力するものである。発振検出回路１２９は、発振回路１２８の発振を検出すると発振検出信号を前記出力回路１３０に出力すると共に、発振回路１２８が発振を停止または減衰(実施例では、発振の停止)を検出すると出力回路１３０に発振停止検出信号を出力するよう構成される。すなわち、検出センサユニット１２４は、磁性体の有無により、発振検出回路１２９が発振を検出した発振検出状態(第２状態)と、発振検出回路１２９が発振の停止を検出した発振非検出状態(第１状態)とに状態変化可能に構成されている。前記出力回路１３０は、前記発振検出回路１２９から発振検出信号が入力されると、前記ハイレベル信号を出力し、該発振検出回路１２９から発振停止検出信号が入力されると、前記ローレベル信号を出力するようになっている。出力回路１３０は、前記制御装置に電気的に接続されており、該出力回路１３０から出力されたハイレベル信号およびローレベル信号は、制御装置に入力される。前記検出用金属球１３２は、前記発振回路１２８の発振を停止させて検出センサユニット１２４を発振非検出状態に維持する(検出部を第１状態に維持する)ものである。実施例では、検出用金属球１３２として、磁性体であるパチンコ球が用いられている。後述するように、検出用金属球１３２は、検出口１２６内に位置した状態で装置設置部１３４で保持される。
【００７５】
実施例の不正検出装置１２２は、前記不正電波行為が行われていない正常時では、検出用金属球１３２により発振回路１２８の発振が停止されて、検出センサユニット１２４は、発振非検出状態(第１状態)に維持される。従って、発振検出回路１２９は、発振停止検出信号を出力し、出力回路からローレベル信号が出力されるので、前記制御装置に対して常にローレベル信号が入力される。一方、検出センサユニット１２４が発振非検出状態にある場合において、電波発生器から電波が検出センサユニット１２４に放射されると、発振回路１２８は発振を停止しているのにも拘わらず、電波によって断続的な発振が強制的に生起される。従って、不正電波行為が行われると、発振検出回路１２９が断続的な発振を検出して、発振検出信号および発振停止検出信号を交互に出力するようになっている。これにより、前記出力回路１３０は、ハイレベル信号およびローレベル信号を制御装置に交互に出力する。実施例に係る不正検出装置１２２は、検出センサユニット１２４における電波の検出範囲Ｓが、図６に示すように、前記検出口１２６の開口方向側が大きくなっている。すなわち、検出センサユニット１２４は、検出口１２６の開口方向から放射される電波に反応し易い構成となっている。これに対し、図６に示すように、検出口１２６の開口方向と直交する方向では、検出センサユニット１２４における電波の検出範囲Ｓが検出口１２６の開口方向側に比べて小さく、検出口１２６の開口方向と直交する方向から放射される電波に反応し難いものとなっている。なお、図６で２点鎖線で示す検出範囲Ｓは、検出センサユニット１２４の電波検出の得意・不得意な方向を説明する仮想的なものであり、実際の検出範囲Ｓは、不正検出装置１２２を中心として半径１５ｃｍ以上の領域をカバーしている(図１１参照)。
【００７６】
(始動入賞球検出センサと不正検出装置との位置関係)
前記始動入賞球検出センサ３３は、始動球通路６０の始動排出部７０でのパチンコ球流下方向に合わせて、球通過口３３ａが配置されており、実施例では、始動排出部７０においてパチンコ球が上から下に向けて直線的に流下するので、球通過口３３ａが上下に開口する姿勢で始動センサ設置部７８に配設されている(図５参照)。また、始動入賞球検出センサ３３は、始動排出部７０において第３始動通路部６８に整合する上部の入口部分よりも下側に、球通過口３３ａが位置するように配置され、実施例では該入口部分のすぐ下側に球通過口３３ａが配置されている(図１１参照)。不正検出装置１２２は、通路ベース部材４８に形成された装置設置部１３４に、始動排出部７０に配置された球通過口３３ａの上流側に隣り合わせて配設されている。そして、不正検出装置１２２は、検出センサユニット(検出部)１２４の検出向きが前記始動入賞球検出センサ３３の球通過口３３ａに対するパチンコ球の通過方向に対して斜めに交差する姿勢で配置されている(図６参照)。前述したように不正検出装置１２２は、検出口１２６の開口方向と直交する方向の検知範囲Ｓが狭いことから、検出センサユニット１２４を傾斜姿勢とすることで、検出口１２６の開口方向と直交する方向に始動入賞球検出センサ３３が位置しないように、検出口１２６を始動入賞球検出センサ３３よりもパチンコ球流下方向上流側にずらしている。
【００７７】
図１１に示すように、前記不正検出装置１２２は、始動球通路６０の始動排出部７０に隣り合わせて配設されている。不正検出装置１２２は、始動排出部７０のパチンコ球案内方向(上下方向)と交差する方向(横側)に該始動排出部７０に並べて配置され、実施例では始動排出部７０の右横側に配置されている。また、不正検出装置１２２には、略矩形箱状の検出センサユニット１２４においてその厚み方向に貫通する検出口１２６が該検出センサユニット１２４の長手に沿う方向の一方に偏倚して設けられており、この検出口１２６が、始動入賞球検出センサ３３の球通過口３３ａよりも始動排出部７０のパチンコ球案内方向上流側(上側)に少なくとも位置するように該検出センサユニット１２４が配設されている。実施例の不正検出装置１２２は、始動入賞球検出センサ３３の横側に下端が位置する検出センサユニット１２４が始動排出部７０に沿って上方へ延在するように配設されており、検出センサユニット１２４の上部に位置する検出口１２６が、始動入賞球検出センサ３３よりも上側に位置している。また、不正検出装置１２２は、検出センサユニット１２４の検出口１２６が、始動排出部７０の上部の入口部分に対して右横側に並んでおり、第３始動通路部６８により前から後に向けて案内されて始動排出部７０の上部に流入するパチンコ球と、検出口１２６に収容された検出用金属球１３２の上下位置がおおよそ揃っている。このように、不正検出装置１２２は、通路ベース部材４８において始動入賞球検出センサ３３が設けられる始動排出部７０の横側に近接して並列配置されている。
【００７８】
図６に示すように、前記不正検出装置１２２は、検出センサユニット１２４が遊技盤２０の盤面に対して傾いた姿勢で装置設置部１３４で支持されている。実施例では、遊技盤２０の盤面に対して短手辺を沿わせると共に長手辺が交差する姿勢で検出センサユニット１２４が配設されて、該検出センサユニット１２４が下端よりも上端が前側に偏倚するように傾いている。不正検出装置１２２は、遊技盤２０の盤面に長手辺を沿わせると共に短手辺を直交する姿勢で始動入賞球検出センサ３３を配設することで上下に向いた球通過口３３ａの開口方向に対して、検出口１２６の開口方向が交差するように構成されている。実施例の不正検出装置１２２は、検出口１２６が上から下に向かうにつれて前方に傾く方向に開口しており、球通過口３３ａが位置する側に応じて、実施例では検出口１２６が前斜め下側に指向している。
【００７９】
(装置設置部)
図１８に示すように、前記装置設置部１３４は、始動排出部７０を画成する右側の始動縦壁７３と、この始動縦壁７３の右側に離間して該始動縦壁７３と対向するように前後および上下に延在する設置縦壁１３６との間に形成されている。装置設置部１３４は、始動排出部７０における右側の始動縦壁７３を、該装置設置部１３４に設置した不正検出装置１２２の左右方向の移動を規制する壁として共用しており、該右側の始動縦壁７３を挟んで始動排出部７０の右横側に並べて不正検出装置１２２が配設されている。また、装置設置部１３４は、右側の始動縦壁７３と設置縦壁１３６との間に、前記検出センサユニット１２４を前記斜めの姿勢で支持する傾斜支持部１３７と、この傾斜支持部１３７の傾斜上端側に連ねて段状に形成され、前記検出口１２６に収容された検出用金属球１３２を支持する段状支持部１３８とを有している。更に、装置設置部１３４は、右側の始動縦壁７３と設置縦壁１３６との間に、前記傾斜支持部１３７の傾斜下端に連ねて、不正検出装置１２２の検出センサユニット１２４の下端を支持する下端支持部１３９を有している(図６参照)。
【００８０】
図６に示すように、前記傾斜支持部１３７は、下から上に向かうにつれて前方に傾くように形成されて、左右方向に離間配置された複数条(実施例では３条)のリブ状片によって、検出センサユニット１２４の後面を支持するようになっている。傾斜支持部１３７は、検出センサユニット１２４の上部に開口する検出口１２６よりも下側部分を支持し、検出口１２６が開口する検出センサユニット１２４の上部が傾斜支持部１３７の上端よりも上方に延出している。段状支持部１３８は、傾斜支持部１３７の上端に連ねて上下方向に延在するように形成されて、傾斜支持部１３７の上端よりも上方へ延出する検出口１２６の後側に、検出用金属球１３２を収容し得るスペースを形成している。段状支持部１３８には、前記傾斜支持部のリブ状片の夫々に連ねてリブ状片が、該段状支持部１３８から該段状支持部１３８の上端から前方に延出する通路ベース部材４８の上壁に亘って設けられ、複数条(実施例では３条)のリブ状片によって、検出口１２６に収容した検出用金属球１３２を後側から支持するようになっている。なお、段状支持部における中央のリブ状片は、検出用金属球１３２に合わせて支持面が円弧状に形成されている。下端支持部１３９は、傾斜支持部１３７における左右のリブ状片の下端に連ねて、左右に離間するリブ状に構成され、その支持面が上から下に向けうにつれて前方に傾斜するように形成されている。また、下端支持部１３９には、左右のリブ状部分の間に検出センサユニット１２４に接続される配線が挿通される配線挿通口１３９ａが設けられている(図１８参照)。装置設置部１３４は、通路ベース部材４８の前側に取り付けられる始動カバー部材５０に設けられた装置カバー部１４０によって前側が覆われるように構成される。そして、装置設置部１３４において、傾斜支持部１３７および下端支持部１３９によって下から上に向かうにつれて前方に傾斜するように支持された検出センサユニット１２４と、段状支持部１３８によって検出口１２６内に位置した状態で後側から支持された検出用金属球１３２とが、装置カバー部１４０によって前側から支持される。
【００８１】
(装置カバー部)
図１７に示すように、前記装置カバー部１４０は、始動カバー部材５０の始動前壁７５と一体的に形成されている。装置カバー部１４０は、前記検出センサユニット１２４を前記斜めの姿勢で支持するカバー傾斜部１４２と、このカバー傾斜部１４２の傾斜上端側に連ねて段状に形成され、前記検出口１２６に収容された検出用金属球１３２を支持するカバー段状部１４３とを有している。カバー傾斜部１４２は、下から上に向かうにつれて前方に傾くように形成されて(図６参照)、左右方向に離間配置された複数条(実施例では３条)のリブ状片によって、検出センサユニット１２４の前面を支持するようになっている。カバー傾斜部１４２は、検出センサユニット１２４の上部に開口する検出口１２６よりも下側部分を支持し、検出口１２６が開口する検出センサユニット１２４の上部がカバー傾斜部１４２の上端よりも上方に延出している。カバー段状部１４３は、カバー傾斜部１４２の上端に連ねて前方に延出した後に上下方向に延在するように形成されて、カバー傾斜部１４２の上端よりも上方へ延出する検出口１２６の前側に、検出用金属球１３２を収容し得るスペースを形成している。カバー段状部１４３には、カバー傾斜部１４２のリブ状片の夫々に連ねてリブ状片が設けられ、複数条(実施例では３条)のリブ状片によって、検出口１２６に収容した検出用金属球１３２を前側から支持するようになっている。なお、カバー段状部１４３のリブ状片は、検出用金属球１３２に合わせて支持面が多面状に形成されている。 また、カバー段状部１４３のリブ状片は、該カバー段状部１４３より上部に延在する部分に、一部分断してセンサ規制部１４４が設けられ、装置カバー部１４０で装置設置部１３４に設置した検出センサユニット１２４を被覆した際に、該検出センサユニット１２４の上端前縁がセンサ規制部１４４に嵌って位置決めされるようになっている(図６参照)。
【００８２】
前記不正検出装置１２２は、検出センサユニット１２４が、装置設置部１３４の傾斜支持部１３７と装置カバー部１４０のカバー傾斜部１４２とによって前記斜め姿勢で通路ベース部材４８に保持されると共に、検出センサユニット１２４の検出口１２６に収容した検出用金属球１３２が、装置設置部１３４の段状支持部１３８と装置カバー部１４０のカバー段状部１４３とによって、検出口１２６内に整合した適切な位置で保持される。装置カバー部１４０の前側には、前記右装飾部材５８が設けられており、不正検出装置１２２が前から視認できないようになっている。
【００８３】
図４に示すように、前記不正検出装置１２２は、装置設置部１３４と装置カバー部１４０との間に設置した際に、始動排出部７０の右横側に隣り合うように配置される。すなわち、不正検出装置１２２は、始動排出部７０に配設されている前記始動入賞球検出センサ３３の横側に近接配置されて、該不正検出装置１２２による検出範囲Ｓに、始動入賞球検出センサ３３の球通過口３３ａが入るよう構成される。なお、実施例では、特別入賞部３４の特別入賞球検出センサ３５も不正検出装置１２２の検出範囲Ｓに入っている。始動入賞球検出センサ３３と不正検出装置１２２との位置関係を更に具体的に説明すると、前記検出センサユニット(検出部)１２４に設けられた検出口１２６の開口方向(検出向き)が、始動入賞球検出センサ３３の球通過口３３ａに対するパチンコ球の通過方向と交差する向きとなる姿勢で、不正検出装置１２２が始動入賞球検出センサ３３の横側に位置している。すなわち、始動入賞球検出センサ３３と検出センサユニット１２４とで同一構成の誘導式近接スイッチを用いている実施例では、球通過口３３ａの開口方向と検出口１２６の開口方向とが交錯するように、始動入賞球検出センサ３３に対して検出センサユニット１２４が配置される。また、始動入賞球検出センサ３３と検出センサユニット１２４の検出口１２６との離間距離が、前記検出範囲Ｓの中心から最外縁までの距離の半分より短くなるように近接配置される。なお、前記検出センサユニット１２４の検出向きとは、当該検出センサユニット１２４における電波の検出範囲Ｓが大きくなる方向であって(図６参照)、該検出範囲Ｓが大きくなる方向が、球通過口３３ａに交錯するようにして不正検出装置１２２が始動入賞球検出センサ３３に対して配置されている。図１１に示すように設置部材４０の正面視において、始動入賞球検出センサ３３の球通過口３３ａが、不正検出装置１２２の不正電波の検出範囲Ｓに入ると共に、図６に示すように遊技盤２０の側面視において、始動入賞球検出センサ３３の球通過口３３ａが、不正検出装置の不正電波の検出範囲Ｓに入るようになっている。これによって、始動入賞球検出センサ３３をめがけて遊技盤２０の前側下方から放射される不正電波を、不正検出装置１２２によって確実に検出し得るようになっている。
【００８４】
(制御装置の不正判定について)
前述のように、前記制御装置は、正常時(発振非検出状態＝第１状態)には、不正検出装置１２２からローレベル信号が入力される。また、不正電波行為により検出センサユニット１２４が発振検出状態(第２状態)に状態変化されると、出力回路１３０からハイレベル信号が入力される。そして、制御装置は、不正検出装置１２２からの信号がローレベル信号からハイレベル信号に切り換わったときに、不正電波行為が発生したと判定するようになっている。すなわち、検出用金属球１３２により発振非検出状態に維持されている筈の検出センサユニット１２４が発振検出状態に状態変化されると、制御装置は不正電波行為を検出する。なお、制御装置は、不正電波行為を検出した場合は、不正行為の発生を、パチンコ機１０が備える図柄表示装置１７、前枠照明装置等の発光手段、スピーカユニット２４等によって報知するよう構成される。
【００８５】
(実施例の作用)
次に、実施例に係るパチンコ機１０の作用について説明する。
【００８６】
前記前枠１３の前面側に設けられた前記操作ハンドル１６の操作レバー１６ａを遊技者が回転操作すると、前記打球発射装置１８から発射されたパチンコ球が遊技盤２０に設けた内外の案内レール２６,２６により画成された下方開口から発射通路に入り、該発射通路を通って打出し口から遊技領域２０ａ内に打ち出される。このとき、操作レバー１６ａの回動量に応じてパチンコ球の打ち出し位置が変化し、打ち出し位置に応じて遊技領域２０ａにおいて枠状装飾体３０の左側の流下経路または右側の流下経路をパチンコ球が流下する。パチンコ球は、遊技釘や回転案内部材などの遊技領域２０ａに配設された盤面構成部材との接触により流下方向が変化しつつ流下し、該遊技領域２０ａに開口する始動入賞口３２ａまたは普通入賞口３６ａ,３６ｂ,３６ｃに入賞する。なお、始動入賞部３２の始動入賞口３２ａや普通入賞部３６の普通入賞口３６ａ,３６ｂ,３６ｃなどの入賞口に入賞しなかったパチンコ球は、遊技領域２０の最下部に開口するアウト口２１から機裏側に排出される。
【００８７】
(始動入賞部への入賞)
前記始動入賞部３２の始動入賞口３２ａにパチンコ球が入ると、始動球通路６０の第１始動通路部６４、第２始動通路部６６および第３始動通路部６８を通って遊技盤２０の前側から後側に向けてパチンコ球が案内された後に、該始動球通路６０において上下に延在する始動排出部７０を通って遊技盤２０の裏側を流下し、始動排出部７０に配設された前記始動入賞球検出センサ３３によるパチンコ球の検出に基づいて該始動入賞部３２へのパチンコ球の入賞を検出する。始動入賞球検出センサ３３から検出信号が前記制御装置に入力されると、該制御装置の制御に基づいて前記図柄表示装置１７での図柄変動演出が開始され、図柄変動演出の結果、図柄表示装置１７の表示部に所定の図柄組み合わせが表示されると大当りが発生する。大当りが発生すると、図柄表示装置１７に表示された図柄組み合わせに応じて、前記遊技盤２０に設けられた特別入賞部３４の特別入賞口３４ａを開閉する開閉部材３４ｂが所定条件で開放制御される大当り遊技が実行されると共に、制御装置の制御に基づいて図柄表示装置１７の表示部において大当り演出が行われる。なお、実施例のパチンコ機１０は、大当り遊技が付与されている場合に、遊技領域２０ａにおける右側の流下経路をパチンコ球を流下させるように打ち出すことで、パチンコ球が高確率で特別入賞口３４ａに入賞し、多くの賞球が獲得可能となる。
【００８８】
(普通入賞部への入賞)
前記普通入賞部３６の始動入賞口３６ａ,３６ｂ,３６ｃの何れかにパチンコ球が入ると、普通球通路９０の第１普通通路部９４、第２普通通路部９６および第３普通通路部９８を通って遊技盤２０の前側から後側に向けてパチンコ球が案内された後に、該普通球通路９０において上下に延在する普通排出部１００を通って遊技盤２０の裏側を流下して共通排出部１０１にまとめられ、共通排出部１０１に配設された前記普通入賞球検出センサ３７によるパチンコ球の検出に基づいて該普通入賞部３６へのパチンコ球の入賞を検出する。普通入賞球検出センサ３７から検出信号が前記制御装置に入力されると、該制御装置の制御に基づいて、球払出装置(図示せず)が作動して、予め設定された数の賞球が払い出される。
【００８９】
(始動入賞部および普通入賞部の案内凸条について)
前記始動入賞部３２および普通入賞部３６は、遊技盤２０の遊技領域に臨む入賞口３２ａ,３６ａ,３６ｂ,３６ｃから該遊技盤２０の裏側に設けられた排出部７０,１００までに至るパチンコ球の経路が、第１通路部６４,９４、第２通路部６６,９６および第３通路部６８,９８を接続して構成されているが、複数の通路部６４,９４,６６,９６,６８,９８の夫々に、その底部から突出する案内凸条８０,１１０,８１,１１１,８２,１１２が連ねて形成されているので、入賞口３２ａ,３６ａ,３６ｂ,３６ｃから入賞したパチンコ球を排出部７０,１００に向けて円滑に流通させることができる。すなわち、入賞口３２ａ,３６ａ,３６ｂ,３６ｃから入賞したパチンコ球が、第１〜第３通路部６４,９４,６６,９６,６８,９８を介して遊技盤２０の前側から後側に流通する際に、該第１〜第３通路部６４,９４,６６,９６,６８,９８で滞ったり、詰まったりするなどを回避でき、入賞口３２ａ,３６ａ,３６ｂ,３６ｃから受け入れたパチンコ球の勢いを適度に保ったまま、遊技盤２０の裏側において上下に延在する排出部７０,１００に受け渡すことができる。これにより、パチンコ球が入賞口３２ａ,３６ａ,３６ｂ,３６ｃに入賞してから入賞球検出センサ３３,３７で検出されるまでの時間が長くなることで生ずる、例えば制御装置で大当り抽選を開始するまでに時間が掛かることで遊技者にとって有利となる遊技状態となるまでの時間が長くなったり、賞球の払い出しが遅くなるなどの不都合の発生を抑制し得る。
【００９０】
前記始動入賞部３２および前記普通入賞部３６において、第１案内凸条８０,１１０、第２案内凸条８１,１１１および第３案内凸条８２,１１２は、入賞口３２ａ,３６ａ,３６ｂ,３６ｃ側から排出部７０,１００側に向かうにつれて、底部からの該案内凸条８０,１１０,８１,１１１,８２,１１２の突出寸法が小さくなるように設定されて、パチンコ球が当接する上端面が下方傾斜するように形成されている。このように、各案内凸条８０,１１０,８１,１１１,８２,１１２は、パチンコ球と当接する上端面が入賞口３２ａ,３６ａ,３６ｂ,３６ｃ側から排出部７０,１００側に向かうにつれて下方傾斜しているので、入賞口３２ａ,３６ａ,３６ｂ,３６ｃから入賞したパチンコ球を排出部７０,１００に向けてより円滑に流通させることができる。そして、始動入賞部３２および普通入賞部３６は、各通路部６４,９４,６６,９６,６８,９８の底部から突出する案内凸条８０,１１０,８１,１１１,８２,１１２の上端面で遊技盤２０の前側から後側に向けたパチンコ球の支持面を構成しているので、各通路部６４,９４,６６,９６,６８,９８の高さや形状などの違いあるいは変化等を、案内凸条８０,１１０,８１,１１１,８２,１１２の突出高さや形状によって吸収することができ、パチンコ球を案内するのに適した支持面を簡単に形成することができる。実施例の始動入賞部３２および普通入賞部３６は、第１通路部６４,９４、第２通路部６６,９６および第３通路部６８,９８が、別々の部材として形成されているので、夫々の通路部６４,９４,６６,９６,６８,９８の底部に違い等があっても、前後に連続する案内凸条８０,１１０,８１,１１１,８２,１１２によってパチンコ球を円滑に案内し得る。換言すると、各通路部６４,９４,６６,９６,６８,９８の底部は、他の通路部６４,９４,６６,９６,６８,９８やパチンコ球の案内などの条件の制約を大きく受けることなく設定することができる。すなわち、遊技領域２０ａに臨む第１通路部６４,９４であればデザイン性を向上したり、遊技盤２０の装着口２５内に挿入される第２通路部６６,９６であれば、該装着口２５に合わせたり、設置部材４０側に配設されるカバー部材５０,５２に設けられる第３通路部６８,９８であれば、遊技盤２０側に配設される第２通路部６６,９６の後端と確実に整合し得る形状としたり、あるいは成形が容易な形状にするなど、通路部６４,９４,６６,９６,６８,９８の設計の自由度を向上し得る。
【００９１】
前記始動入賞部３２および普通入賞部３６は、下流側に位置する通路部６６,９６,６８,９８の案内凸条８１,１１１,８２,１１２の上端面が、上流側に位置する通路部６４,９４,６６,９６の案内凸条８０,１１０,８１,１１１の上端面よりも段差状に下がるように設定されているので、案内凸条８０,１１０,８１,１１１,８２,１１２の高さのバラツキや通路部６４,９４,６６,９６,６８,９８が設けられた部材４８,５０,５２,６２,９２の取り付け誤差などが生じても、下流側の案内凸条８１,１１１,８２,１１２が上流側の案内凸条８０,１１０,８１,１１１よりも高くなってしまうことを回避できる。これにより、上流側と下流側との２つの案内凸条８０,１１０,８１,１１１,８２,１１２が連なる部位でパチンコ球が引っ掛かってしまうことはなく、入賞口３２ａ,３６ａ,３６ｂ,３６ｃから入賞した遊技球を排出部７０,１００に向けてより円滑に流通させることができる。
【００９２】
より具体的に説明すると、始動入賞部３２および普通入賞部３６において、第１通路部６４,９４とこの第１通路部６４,９４の下流側に接続される第２通路部６６,９６とは、別々の部材で構成されているが、第１案内凸条８０,１１０の上端面よりも下がるように第２案内凸条８１,１１１の上端面が予め設定されているので、設定された段差の範囲内で第１通路部６４,９４および第２通路部６６,９６の成形のバラツキや取り付け誤差などが許容される。同様に、第２通路部６６,９６とこの第２通路部６６,９６の下流側に接続される第３通路部６８,９８とは、遊技盤２０に配設される部材(始動飾り部材６２,サイド飾り部材９２)と、遊技盤２０の裏側に取り付けられる設置部材４０に設置される通路ベース部材４８に配設されるカバー部材５０,５２との別々の部材で構成されている。そして、始動入賞部３２および普通入賞部３６は、遊技盤２０と設置部材４０とを取り付けた際に、第２通路部６６,９６の後端に第３通路部６８,９８の前端が整合するのであって、第２通路部６６,９６と第３通路部６８,９８とが直接取り付けられる構成にはなっていない。前述したように、第２案内凸条８１,１１１の上端面よりも下がるように第３案内凸条８２,１１２の上端面が予め設定されているので、設定された段差の範囲内で第２通路部６６,９６および第３通路部６８,９８の成形のバラツキや取り付け誤差などが許容される。従って、始動入賞部３２および普通入賞部３６において、遊技盤２０の前側から後側にパチンコ球を導く球通路６０,９０を複数の通路部６４,９４,６６,９６,６８,９８に分けて構成しても、パチンコ球を円滑に流通させることができ、通路部６４,９４,６６,９６,６８,９８を別体で構成することによる前述したメリットを享受し得る。また、始動入賞部３２および普通入賞部３６は、パチンコ球の案内方向に下がる通路部６４,９４,６６,９６,６８,９８自体または案内凸条８０,１１０,８１,１１１,８２,１１２の上端面の傾斜が小さくても、パチンコ球の案内方向前後に隣り合う案内凸条８０,１１０,８１,１１１,８２,１１２の上端面の段差によってパチンコ球の勢いを適切に保つことができる。
【００９３】
前記普通入賞部３６は、普通カバー部材５２において左普通入賞口３６ａに対応する第３普通通路部９８の底部を構成する左端縁を左右方向中央側から左方に向かうつれて上方傾斜させることで、この通路傾斜部９９によって第３普通通路部９８を通るパチンコ球を該通路傾斜部９９から離れる右方に案内することができる。ここで、第３普通通路部９８は、普通排出部１００の左右を画成する一対の普通縦壁１０３,１０３によって左右の側面が規定されており、左普通入賞口３６ａに対応した普通排出部１００が入口部分の途中から左方へ曲がった後に垂下するように普通縦壁１０３が屈曲している。すなわち、左普通入賞口３６ａに対応する第３普通通路部９８は、その下部が右方へ向けて曲がっているのに対応して、該第３普通通路部９８の底部を画成する普通カバー部材５２の上端縁に通路傾斜部９９を設けることで、該通路傾斜部９９によって第３普通通路部９８を通るパチンコ球が左右の普通縦壁１０３,１０３の形状によって左方に偏ることなく前から後側に直線的に流通するように案内し得る。従って、第３普通通路部９８の側面を画成する普通縦壁１０３,１０３が傾斜するように延在していても、該第３普通通路部９８を通るパチンコ球の左右方向のブレを、底部の前記通路傾斜部９９によって抑えることができ、パチンコ球を円滑に流通させることができる。
【００９４】
(通路ベース部材について)
前記始動入賞部(第１の入賞部)３２および前記普通入賞部(第２の入賞部)３６は、設置部材４０に配設された通路ベース部材４８を共用して、遊技盤２０の裏側でパチンコ球を排出案内する始動排出部(第１の排出部)７０および普通排出部(第２の排出部)１００の夫々を設けている。始動排出部７０は、通路ベース部材４８に設けられた該始動排出部７０の構成部分(始動後壁７４)を、普通排出部１００の構成部分(普通後壁１０４)よりも後側に膨出するように形成することで、通路ベース部材４８の前側に配設された始動カバー部材５０において始動排出部７０の前側を構成する始動前壁７５を、遊技盤２０の裏面から間隔をあけて配置している。このように、始動入賞部３２の始動排出部７０は、遊技盤２０の裏面と間隔をあけて設けてあるので、該始動排出部７０と遊技盤２０の裏面との隙間を、前述したように始動装飾部材５７および始動発光手段７６の配設スペースとして用いることができる。これに対して、普通排出部１００およびこれに繋がる共通排出部１０１は、通路ベース部材４８に設けられた該普通排出部１００および該共通排出部１０１の構成部分(普通後壁１０４)が、始動排出部７０の構成部分(始動後壁７４)よりも前側に位置しており、通路ベース部材４８において前記始動後壁７４、装置設置部１３４および磁気センサ５９の設置部を除く後面の大部分が、基本的に前後寸法が小さくなっている。すなわち、普通排出部１００および共通排出部１０１は、始動排出部７０より遊技盤２０の裏面に近い前側に延在するように設けることで、該普通排出部１００および該共通排出部１０１の後側を、照明手段１２０の配設スペースとして用いることができる。このように、始動排出部７０と普通排出部１００および共通排出部１０１とを前後にずらして設けることによって、通路ベース部材４８の前および後に生じるスペースを部材等の配設スペースとして用いて、遊技盤２０の裏側スペースを効率的に利用することができる。
【００９５】
前記始動排出部７０は、遊技盤２０の裏面と間隔をあけるように設けられることで、始動入賞部３２において遊技盤２０に配設された始動飾り部材６２に設けられる第２始動通路部６６の出口との間に隙間が生じてしまうが、始動排出部７０の前側を構成する始動カバー部材５０に該隙間に合わせて設けられた第３始動通路部６８によって該隙間を繋いでいるので、始動飾り部材６２に設けられる第２始動通路部６６から設置部材４０に配設される通路ベース部材４８に設けられる始動排出部７０にパチンコ球を適切に受け渡すことができる。また、普通入賞部３６は、通路ベース部材４８に形成された普通縦壁１０３の開放端を覆って普通排出部１００の前側を構成する普通カバー部材５２の上端縁を、遊技盤２０に配設されたサイド飾り部材９２に設けられる第２普通通路部９６の出口から、設置部材４０に配設される通路ベース部材４８に設けられる普通排出部１００の入口を繋ぐ第３普通通路部９８の底部として用いている。すなわち、始動入賞部３２および普通入賞部３６は、遊技盤２０側の通路部６６,９６と、設置部材４０側の排出部７０,１００を繋ぐ第３通路部６８,９８として、排出部７０,１００の前面を画成するカバー部材５０,５２を利用しているので、部品点数を減らすことができると共に、該第３通路部６８,９８と排出部７０,１００との位置ズレを防止することができる。
【００９６】
前述したように、始動入賞部３２において、始動排出部７０の始動前壁７５と遊技盤２０の裏面との間に設定された隙間を有効利用して、当該隙間に始動装飾部材５７を配設してあるので、透明な遊技盤２０を介して視認可能な始動装飾部材５７によって始動入賞口３２ａの周辺(下側)装飾することができる。また、始動入賞部３２では、始動装飾部材５７によって始動排出部７０に合わせて設けられた始動センサ設置部７８に設置された始動入賞球検出センサ３３を隠すことができ、始動入賞球検出センサ３３の存在により透明な遊技盤２０であっても始動入賞口３２ａ周辺の見栄えの悪化を招かない。始動入賞部３２において、始動排出部７０の始動前壁７５と遊技盤２０の裏面との間に設定された隙間を有効利用して、当該隙間に始動発光手段７６を配設してあるので、始動発光手段７６から前側に照射した光により透明な遊技盤２０を介して始動入賞口３２ａの周辺を発光させることができる。更に、始動発光手段７６の前側には、光拡散構造の始動装飾部材５７が光照射方向前側に重なるように配置されているので、始動発光手段７６から照射した光によって始動装飾部材５７を発光させることができると共に、始動装飾部材５７によって始動発光手段７６を隠すことができる。特に、パチンコ機１０では、始動入賞口３２ａへの入賞を契機として、遊技者にとって有利な遊技状態が付与されるか否かの抽選が行われることから、始動入賞口３２ａへの遊技者の注目度が高く、該始動入賞口３２ａの周辺を、始動排出部７０の前側のスペースを用いて装飾および／または発光させることのメリットが大きい。そして、始動発光手段７６は、始動装飾部材５７と始動カバー部材５０とに挟まれて保持される構成であるので、始動発光手段７６をネジ止めする手間等を省略することができ、始動発光手段７６を簡単に取り付けることができる。
【００９７】
前述したように、普通入賞部３６において、普通排出部１００および共通排出部１０１を始動排出部７０より前側に延在するように形成することにより、普通排出部１００および共通排出部１０１に応じて通路ベース部材４８の後側に生じるスペースを有効利用して照明手段１２０を配設することで、光を透過可能な通路ベース部材４８、普通カバー部材５２および遊技盤２０を介して、照明手段１２０の光により普通入賞口３６ａ,３６ｂ,３６ｃの周辺を発光させることができる。ここで、実施例のサイド飾り部材９２は、前後の半体１１６,１１８が光を透過可能に構成されているので、照明手段１２０の光を受けて発光装飾される。遊技盤２０では、始動入賞口３２ａの方が注目度が高いことから、始動排出部７０の前側にスペースを設けて遊技盤２０に近い位置に始動発光手段７６を設けることで、始動入賞口３２ａの周辺の明輝を図っている。これに対して、サイド飾り部材９２を照らす照明手段１２０を普通排出部１００の後側に設けて遊技盤２０より遠ざけることで、始動入賞口３２ａの周辺とサイド飾り部材９２との間で発光態様に差を付けることができる。
【００９８】
前記照明手段１２０は、前記通路ベース部材４８の後側において、始動排出部７０に対応した部分と普通排出部１００および共通排出部１０１に対応した部分との前後差により生じるスペースの範囲内に配線が接続されるソケットを除く大部分が収まっている。また、通路ベース部材４８の前側には、始動カバー部材５０および普通カバー部材５２が配設されて、始動カバー部材５０の始動前壁７５の前側に配設された始動装飾部材５７の前面、第３始動通路部６８および第３普通通路部９８の前端が、その前後位置がおおよそ揃っている。通路ベース部材４８を部材の設置基盤とする通路ユニット４６は、前側が遊技盤２０の裏面に近接または接触するように設定されると共に、後側に設置部材４０の背面板４４と間に可動演出装置４２の配設スペースを確保している。換言すると、前記通路ユニット４６は、遊技盤２０の裏面と可動演出装置４２とに前後に挟まれた限られたスペースにおいて、始動入賞部３２および普通入賞部３６に合わせて始動発光手段７６および照明手段１２０等の構成部材が効率的に配設されている。
【００９９】
前記通路ユニット４６において、普通排出部１００および共通排出部１０１は、始動排出部７０と比べて遊技盤２０の裏面に近い位置に延在するように形成されている。すなわち、普通排出部１００および共通排出部１０１の前面を構成する普通カバー部材５２と遊技盤２０の裏面との間には、始動カバー部材５０の始動前壁７５の前側と比べてスペースがとることが難しい。ここで、普通カバー部材５２では、通路ベース部材４８の普通センサ設置部７８に設置した普通入賞球検出センサ３７の前側を保持する普通センサ収容部５３ａによる前方への突出部分１０６ｂによって前記一般部分１０６ａと間に段差を形成し、この段差により遊技盤２０の裏面との間に生じる隙間に始動入賞球検出センサ３３に繋がる配線Ｈを通している。このように、普通カバー部材５２は、配線Ｈを通す隙間を形成する突出部分１０６ｂを設けても、第３普通通路部９８の底部をなす上端縁に前方に向けて突出するように突出部分１０６ｂを形成したり、該突出部分１０６ｂ自体を上端縁に形成することで、突出部分１０６ｂによって第２普通通路部９６と普通排出部１００との間を塞ぐことができると共に、該突出部分１０６ｂの上端縁に形成した第３普通案内凸条１１２によってパチンコ球を第２普通通路部９６から普通排出部１００に向けて円滑に流通させることができる。
【０１００】
(不正行為時の作用について)
次に、不正電波行為が行われた場合の作用について説明する。前記不正検出装置１２２は、不正電波行為が行われていない正常時では、前記検出用金属球１３２により検出センサユニット１２４が発振非検出状態に維持されて、出力回路１３０からローレベル信号が出力されている。従って、正常時においては、制御装置にローレベル信号が入力され続ける。不正電波行為が発生すると、電波により発信検出回路１２９が断続的な発振を誤検出して、出力回路１３０は、ローレベル信号およびハイレベル信号を交互に繰り返し出力する。そして、制御装置は、出力回路１３０からの信号がローレベル信号からハイレベル信号に切り換わったときに、不正電波行為が発生したと判定する。すなわち、実施例の不正検出装置１２２によれば、電波により検出センサユニット１２４が発振非検出状態から発振検出状態に変化するので、簡単な構造により不正電波行為を極めて容易に検出し得る。また、検出センサユニット１２４に電波を検出するための回路等を別途形成することなく、既存の球検出センサと同じものを検出センサユニット１２４として採用し得ると共に、パチンコ球を検出用金属球１３２として採用し得るから、不正検出装置１２２の製造コストを抑制することができる。
【０１０１】
前記不正検出装置１２２は、始動排出部７０に配設された始動入賞球検出センサ３３の球通過口３３ａより上流側において該始動排出部７０に隣り合わせて配設されると共に、検出センサユニット１２４の検出向きが球通過口３３ａに対するパチンコ球の通過方向に対して斜めに交差する姿勢となっている。実施例の不正検出装置１２２は、検出センサユニット１２４が、始動入賞球検出センサ３３の右横側に並ぶ位置から上方に向けて配設されると共に、検出センサユニット１２４の検出口１２６が球通過口３３ａより上方に配設されている。そして、不正検出装置１２２は、球通過口３３ａが上下に開口する向きで配設された始動入賞球検出センサ３３に対して、検出口１２６が上から下に向かうにつれて前方に傾く開口向きになる姿勢で検出センサユニット１２４が配設されており、検出センサユニット１２４の検出向きが動入賞球検出センサ３３の球通過口３３ａに向いている。すなわち、不正検出装置１２２は、検出センサユニット１２４の配置位置および姿勢によって、始動入賞球検出センサ３３をカバーし得るように検出範囲Ｓを適切に設定しているので、始動入賞球検出センサ３３に対する不正電波行為(不正行為)を精度よく検出することができる。また、検出センサユニット１２４が上側から下側に向けて後方に傾斜した姿勢となるから、該検出センサユニット１２４の検出口１２６の開口方向は、後側から前側に向けて下方傾斜した方向となる。従って、遊技盤２０の前側下方から始動入賞部３２に向けて放射された電波を捉え易くして、不正電波行為を確実に検出することが可能となる。このように、検出センサユニット１２４の配置位置および姿勢によって、始動入賞球検出センサ３３をカバーし得るように検出範囲を適切に設定しているので、不正検出装置１２２として許容し得る検出感度の値を低くすることができる。すなわち、コストの低い不正検出装置１２２を採用することができ、製造コストの上昇を抑制し得る。
【０１０２】
前記不正検出装置１２２は、始動入賞球検出センサ３３が配設される始動排出部７０を画成する始動縦壁１０３を挟んで該始動排出部７０に並べて配設されている。このように、不正検出装置１２２は、始動排出部７０の始動縦壁１０３を１枚隔てるだけで、始動入賞球検出センサ３３に近接配置されているので、始動入賞球検出センサ３３に対する不正電波行為を精度よく検出することができる。しかも、不正検出装置１２２は、検出センサユニット１２４および検出用金属球１３２を設置する装置設置部１３４が、始動入賞球検出センサ３３が設置される始動センサ設置部７８が形成された通路ベース部材４８に設けられているので、検出センサユニット１２４と始動入賞球検出センサ３３との位置関係は適正に維持されており、始動入賞球検出センサ３３に対する不正行為を確実に検出し得る。また、不正検出装置１２２は、遊技盤２０の裏面に取り付けられる設置部材４０に配設される通路ベース部材４８に設置してあるので、該不正検出装置１２２と、設置部材４０に配設される制御装置とを接続する配線の引き回しが容易である。更に、遊技盤２０に設置部材４０を取り付ける際に、不正検出装置１２２から導出する配線を遊技盤２０との間に挟み込んでしまうおそれもなく、取り付け作業が容易となる。
【０１０３】
前記不正検出装置１２２は、通路ベース部材４８に設けられた装置設置部１３４の傾斜支持部１３７によって検出センサユニット１２４が適切な姿勢で保持されると共に、傾斜支持部１３７の傾斜上端側に連ねて段状に形成された段状支持部１３８に、検出口１２６に収容された検出用金属球１３２が保持される。そして、始動カバー部材５０を通路ベース部材４８に取り付けることで、始動カバー部材５０に形成された装置カバー部１４０で装置設置部１３４の前側を被覆して、装置カバー部１４０に傾斜支持部１３７に平行するように形成されたカバー傾斜部１４２で傾斜支持部１３７との間に検出センサユニット１２４を挟むと共に、装置カバー部１４０に段状支持部１３８に対向するように形成されたカバー段状部１４３で該段状支持部１３８との間に検出用金属球１３２を挟んで、検出センサユニット１２４および検出用金属球１３２を位置決めしている。このように、検出口１２６に収容した検出用金属球１３２が該検出口１２６の内側で適切に配置されているので、不正電波の誤検知などを防止して、より精度の高い不正電波行為の検出をなし得る。また、装置設置部１３４およびこれを覆う装置カバー部１４０によって、不正検出装置１２２を外部からのアクセスが困難になるように保護し得ると共に、装置カバー部１４０の前側に配設された右装飾部材５８によって不正検出装置１２２を隠して、不正行為者に不正検出装置１２２の存在を悟らせないようにすることができる。
【０１０４】
前記不正検出装置１２２は、通路ベース部材４８に設けられた装置設置部１３４に設置した検出センサユニット１２４および検出用金属球１３２を、始動排出部７０の前面をなす始動カバー部材５０に形成された装置カバー部１４０によって被覆している。すなわち、始動センサ設置部７８に設置した始動入賞球検出センサ３３と不正検出装置１２２とを共通の始動カバー部材５０で被覆する構成であるから、部品点数を減らすことができると共に、始動入賞球検出センサ３３および不正検出装置１２２を併せてメンテナンスすることができる。
【０１０５】
(変更例)
なお、遊技機の構成としては、前述した実施例に示したものに限らず、以下を含む種々の変更が可能である。
(１)前述した発光体としては、様々な色で発光可能なフルカラータイプのチップＬＥＤや白色の単色発光が可能なチップＬＥＤ、電球やその他の光を発する手段を用いることができる。
(２)光を拡散する構成としては、実施例で説明した凹凸形状に限られず、例えば光反射性を有する微粒子を含有する光拡散インクを種々の濃度分布で光透過性を有する部材の表面に印刷または塗布等する加工や、部材を構成する樹脂自体に光反射性を有する微粒子を分散させる例えばラメ加工や、透過する光の屈折率を変える加工等を指し、１つの加工だけであっても、複数の加工を組み合わせてもよい。なお、表面加工の具体例としては、溝加工、ダイヤモンドカット加工、シボ加工、ブラスト加工などが挙げられ、光の屈折率を変える加工としては、部材の表面に該部材と屈折率が異なる微細な凹凸を設けたシートレンズの如きものが挙げられる。
(３)実施例では、パチンコ球を遊技媒体として遊技が行われるパチンコ機を例示して説明したが、これに限られるものではなく、アレンジボール機やピンボール機、パチンコ球を遊技媒体として用いるスロットマシン等の各種遊技機を採用し得る。
【０１０６】
(４)案内凸条は、１条に限られず、通路部に２条以上設けてもよい。
(５)通路部には、遊技球の側面に当接して案内するリブ状片を突出形成してもよい。
(６)通路部からの突出寸法を変化させることで案内凸条の上端面が傾斜するよう構成したが、通路部自体を傾斜させることで、案内凸条の上端面が傾斜する構成であってもよい。
【０１０７】
(７)実施例では、始動入賞部の排出部と普通入賞部の排出部とを前後にずらしたが、普通入賞部の複数の排出部を前後にずらす構成であってもよい。また、ベース部材に設ける入賞部の排出部としては、始動入賞部および普通入賞部の他に特別入賞部も対象にすることができる。
(８)遊技盤の裏面から離間するように配置した排出部の前側、および遊技盤の裏面に近接配置した排出部の後側に配設するものとしては、発光手段や装飾部材に限られず、センサや配線や可動物などであってもよい。
【０１０８】
(９)不正検出装置(不正行為検出手段)による不正検出対象としては、始動入賞部の球検出センサだけでなく、特別入賞部の球検出センサやその他の入賞部の球検出センサを含めてもよく、特別入賞部の球検出センサやその他の入賞部の球検出センサだけを対象にしてもよい。
(１０)不正検出装置は、球検出センサに対して左右方向に隣接して配置する例を説明したが、前後方向または上下方向に隣接するように配置してもよい。
(１１)不正検出装置の検出部の検出向き(検出口の開口向き)は、球検出センサの球通過検出部における遊技球の通過向きと交差する関係であれば、前後方向に斜めになる姿勢だけでなく、左右方向に斜めになる姿勢や左右方向および前後方向に斜めになる姿勢であってもよい。
【符号の説明】
【０１０９】
２０ 遊技盤
２０ａ 遊技領域
２５ 装着口
３２ 始動入賞部(入賞部,第１の入賞部)
３３ 始動入賞球検出センサ(球検出センサ)
３３ａ 球通過口(球通過検出部)
３６ 普通入賞部(入賞部,第２の入賞部)
４８ 通路ベース部材(ベース部材)
５０ 始動カバー部材(カバー部材)
５６ (装飾部材)
５７ 始動装飾部材(装飾部材)
５８ (装飾部材)
６８ 第３通路部(延長通路)
７０ 始動排出部(第１の排出部)
７５ 始動前壁(前壁)
７６ 始動発光手段(発光手段)
１００ 普通排出部(第２の排出部)
１２２ 不正検出装置(不正行為検出手段)
１２４ 検出センサユニット(検出部)
１４０ 装置カバー部(不正行為検出手段を被覆する部位)
【図１】
0006317211.tif 000002
【図２】
0006317211.tif 000003
【図３】
0006317211.tif 000004
【図４】
0006317211.tif 000005
【図５】
0006317211.tif 000006
【図６】
0006317211.tif 000007
【図７】
0006317211.tif 000008
【図８】
0006317211.tif 000009
【図９】
0006317211.tif 000010
【図１０】
0006317211.tif 000011
【図１１】
0006317211.tif 000012
【図１２】
0006317211.tif 000013
【図１３】
0006317211.tif 000014
【図１４】
0006317211.tif 000015
【図１５】
0006317211.tif 000016
【図１６】
0006317211.tif 000017
【図１７】
0006317211.tif 000018
【図１８】
0006317211.tif 000019
【図１９】
0006317211.tif 000020